(57)【要約】  【課題】  変倍比が極めて大きく、しかも、小型かつ高性能なレンズユニットを提供する。  【解決手段】  レンズユニット１における複数のレンズ群（ＧＲ１〜ＧＲ４）は、物体側から像側に向かって、少なくとも、正のパワーを有する第１レンズ群ＧＲ１、負のパワーを有する第２レンズ群ＧＲ２、正のパワーを有する第３レンズ群ＧＲ３、正のパワーを有する第４レンズ群ＧＲ４、を有しており、広角端状態（Ｗ）から望遠端状態（Ｔ）までのズーミング（変倍）のとき、少なくとも第１レンズ群ＧＲ１が、像側から物体側へ移動することで、各レンズ群間の少なくとも１つの間隔が変化とともに、条件式（Ａ）〔３＜ＴＬ３／Ｙ’＜８、ただし、ＴＬ３：第３レンズ群ＧＲ３の軸上厚み、Ｙ’：撮像素子ＳＲの像面における高さ（最大像高）〕を満たす。【選択図】      図１
2006350049.tif 000002
【特許請求の範囲】
【請求項１】
複数のレンズ群から成る変倍光学系と、この変倍光学系を経た光を受光する撮像素子と、を含むレンズユニットであって、
上記の複数のレンズ群は、物体側から像側に向かって、少なくとも、
正のパワーを有する第１レンズ群と、
負のパワーを有する第２レンズ群と、
正のパワーを有する第３レンズ群と、
正のパワーを有する第４レンズ群と、
を有しており、
広角端から望遠端までの変倍のとき、
少なくとも第１レンズ群が像側から物体側へ移動し、各レンズ群間の少なくとも１つの間隔が変化し、
さらに、以下の条件式（１）が満たされていることを特徴とするレンズユニット；
３＜ＴＬ３／Ｙ’＜８  …  条件式（１）
ただし、
ＴＬ３：第３レンズ群の軸上厚み
Ｙ’  ：撮像素子の像面における光軸からの高さ
である。
【請求項２】
上記第３レンズ群に含まれ、最も物体側に位置する最物体側レンズの物体側のレンズ面が、非球面になっていることを特徴とする請求項１に記載のレンズユニット。
【請求項３】
第３レンズ群における上記の最物体側レンズが、像側で隣り合う他のレンズと接合して、接合レンズになっていることを特徴とする請求項２に記載のレンズユニット。
【請求項４】
第３レンズ群では、上記接合レンズよりも像側に、別の接合レンズが位置していることを特徴とする請求項３に記載のレンズユニット。
【請求項５】
上記第３レンズ群に含まれ、最も像側に位置する最像側レンズのレンズ面のうち、少なくとも１つのレンズ面が、非球面になっていることを特徴とする請求項１〜４のいずれか１項に記載のレンズユニット。
【請求項６】
上記第３レンズ群には、光軸変更素子が含まれていることを特徴とする請求項１〜５のいずれか１項に記載のレンズユニット。
【請求項７】
物体側から入射してくる光を、一部遮光する光学絞りが備えられており、以下の条件式（２）を満たすことを特徴とする請求項１〜６のいずれか１項に記載のレンズユニット；
１＜ＴＬ３M／ＲＳ＜２  …  条件式（２）
ただし、
ＴＬ３M ：第３レンズ群に含まれる各レンズ間の空気間隔において最大の空気間隔
ＲＳ    ：光学絞りの最大絞り径
である。
【請求項８】
以下の条件式（３）を満たすことを特徴とする請求項１〜７のいずれか１項に記載のレンズユニット；
１．５＜（β３ｔ／β３ｗ）＜３．５  …  条件式（３）
ただし、
β３ｔ：望遠端での第３レンズ群の横倍率
β３ｗ：広角端での第３レンズ群の横倍率
である。
【請求項９】
変倍のために、上記の第１レンズ群と第３レンズ群とが移動するとき、
第１レンズ群と第３レンズ群との群間距離が、不変になっていることを特徴とする請求項１〜８のいずれか１項に記載のレンズユニット。
【請求項１０】
上記の第１レンズ群と第３レンズ群とが、連結状態になっていることを特徴とする請求項９に記載のレンズユニット。
【請求項１１】
変倍のときに、
上記第４レンズ群が不動になっていることを特徴とする請求項１〜１０のいずれか１項に記載のレンズユニット。
【請求項１２】
上記第１レンズ群には、光軸変更素子が含まれていることを特徴とする請求項１〜１１のいずれか１項に記載のレンズユニット。
【請求項１３】
以下の条件式（４）を満たすことを特徴とする請求項１〜１２のいずれか１項に記載のレンズユニット；
４．７＜ｆｔ／ｆｗ  …  条件式（４）
ただし、
ｆｔ  ：  望遠端での変倍光学系全体の焦点距離
ｆｗ  ：  広角端での変倍光学系全体の焦点距離
である。
【請求項１４】
請求項１〜１３のいずれか１項に記載のレンズユニットを備えることを特徴とする撮像装置。
【発明の詳細な説明】
【技術分野】
【０００１】
本発明は、レンズ光学系（変倍光学系等）を具備するレンズユニット、およびこのレンズユニットを備える撮像装置に関するものである。
【背景技術】
【０００２】
近年、パーソナルコンピュータ（ＰＣ）の普及に伴い、手軽に画像を取り込めるデジタルカメラ（撮像装置）が普及している。そして、このようなデジタルカメラにも、銀塩フィルムを用いたカメラ（銀塩カメラ）同様に、小型化や高性能化（例えば、高い変倍機能や高い収差補正機能）が要望されている。
【０００３】
例えば、特許文献１・２のような撮像装置（デジタルカメラ等）は、物体側から像側に向かって、正・負・正・正のパワー配置になった複数のレンズ群から成るズーム光学系（変倍光学系）を有し、広角端から望遠端までの撮影を行えるようになっている。
【特許文献１】特開２００２−１０７６２２号公報（請求項１等参照）
【特許文献２】特開２００１−１１７０００号公報（図５等参照）
【発明の開示】
【発明が解決しようとする課題】
【０００４】
しかし、これらのズーミング可能な撮像装置では、下記のような問題が生じる。
【０００５】
特許文献１の撮像装置は、第１レンズ群（物体側に最も近いレンズ群）を不動としたズーミングを行っている。そのために、ズーミングでは（特に広角端撮影では）、比較的広い画角の光を受光する必要が生じる。すると、第１レンズ群に含まれるレンズ（前玉レンズ）の径が大型化するという問題が発生する。したがって、このような撮像装置は、近年要求されている撮像装置の小型化という要望を満たせない。
【０００６】
また、特許文献２の撮像装置は、特許文献１の撮像装置とは異なり、第１レンズ群を可動としたズーミングを行っている。そのため、前玉レンズの径は比較的小型化される。しかし、この特許文献２の撮像装置は、ズーム比３倍程度を想定しており、近年要求されている撮像装置の高性能化という要望を満たせない。
【０００７】
以上の問題に加え、撮像装置に搭載される撮像素子が、画素数をはじめとする種々の点で高性能化している。そのために、撮影光学系には、単に小型や高変倍であるだけでなく、高い収差補正機能も要求されるようになっている。
【０００８】
本発明は、このような現状を鑑みてなされたものであって、その目的は、変倍比が極めて大きく、しかも、小型かつ高性能なレンズユニット、およびこのようなレンズユニットを備える撮像装置を提供することを目的とする。
【課題を解決するための手段】
【０００９】
本発明は、複数のレンズ群から成る変倍光学系と、この変倍光学系を経た光を受光する撮像素子と、を含むレンズユニットである。そして、複数のレンズ群は、物体側から像側に向かって、少なくとも、正のパワーを有する第１レンズ群と、負のパワーを有する第２レンズ群と、正のパワーを有する第３レンズ群と、正のパワーを有する第４レンズ群と、を有している。
【００１０】
そして、このレンズユニットでは、広角端から望遠端までの変倍のとき、少なくとも第１レンズ群が像側から物体側へ移動し、各レンズ群間の少なくとも１つの間隔が変化し、さらに、以下の条件式（１）が満たされている。
３＜ＴＬ３／Ｙ’＜８  …  条件式（１）
ただし、
ＴＬ３：第３レンズ群の軸上厚み
Ｙ’  ：撮像素子の像面における光軸からの高さ(最大像高)
である。
【００１１】
この条件式（１）は、第３レンズ群の厚み（軸上厚み）に関する式である。そして、この条件式（１）は、第３レンズ群の軸上厚みに基づいて、レンズユニットの小型化（例えば、レンズユニットの全長の短縮化）と、収差補正の高性能化との調和を図るための範囲を規定している。
【００１２】
具体的には、条件式（１）の上限値を下回る場合には過剰なレンズユニットの大型化が抑制される一方、条件式（１）の下限値を上回る場合にはレンズユニットの良好な収差補正が行える。
【００１３】
なお、本発明のレンズユニットでは、第３レンズ群に含まれ、最も物体側に位置する最物体側レンズの物体側のレンズ面が、非球面になっていてもよい。かかる場合、第２レンズ群を経た光の到達する最初のレンズ面は非球面になる。したがって、本発明のレンズユニットは、この非球面形状で、球面収差等を効果的に補正できる。
【００１４】
また、第３レンズ群における最物体側レンズが、像側で隣り合う他のレンズと接合して、接合レンズになっていてもよい。かかる場合、色収差を効果的に補正できる。なお、さらなる色収差の補正を実現すべく、第３レンズ群では、上記の接合レンズよりも像側に、別の接合レンズが位置してもよい。
【００１５】
また、本発明のレンズユニットでは、第３レンズ群に含まれ、最も像側に位置する最像側レンズのレンズ面のうち、少なくとも１つのレンズ面が非球面になっていてもよい。例えば、光学絞りの位置から比較的離れたレンズ面(非球面のレンズ面)であれば、非点収差や歪曲収差等（軸外収差）を効果的に収差補正できるためである。
【００１６】
なお、レンズユニットのさらなるコンパクト化を図るために、第３レンズ群に、光軸変更素子（第１光軸変更素子）が含まれてもよい。さらには、この光軸変更素子を適切に配置すべく、以下の条件式（２）を満たすようにすれば好ましい。
１＜ＴＬ３M／ＲＳ＜２  …  条件式（２）
ただし、
ＴＬ３M ：第３レンズ群に含まれる各レンズ間の空気間隔において最大の空気間隔
ＲＳ    ：光学絞りの最大絞り径
【００１７】
この条件式（２）は、第３レンズ群における最大スペース（光軸上の空気間隔）を（ＴＬ３M）を光学絞りの最大絞り径（ＲＳ）で規定したものである。そして、この条件式（２）は、第３レンズ群における最大スペースに基づいて、レンズユニットの小型化と、光軸変更素子の適切な配置スペース確保（例えば光路の干渉が生じないような光軸変更素子の配置）〕との調和を図るための範囲を規定している。
【００１８】
具体的には、条件式（２）の上限値を下回る場合にはレンズユニットの過剰な大型化が抑制される一方、条件式（２）の下限値を上回る場合には良好に（例えば光路の干渉の生じないように）光軸変更素子が配設できる。
【００１９】
また、本発明のレンズユニットは、以下の条件式（３）を満たすようにしてもよい。
１．５＜（β３ｔ／β３ｗ）＜３．５  …  条件式（３）
ただし、
β３ｔ：望遠端での第３レンズ群の横倍率
β３ｗ：広角端での第３レンズ群の横倍率
である。
【００２０】
この条件式（３）は、第３レンズ群の変倍比の適切な範囲を規定するものである。第２レンズ群・第３レンズ群のいずれか一方に過度の変倍負担がかかると、一方のみのレンズ群における前後の間隔変化が過剰に大きくなりやすい。しかし、条件式（３）の範囲内であれば、変倍負担を適切に割り振ることができ、結果、変倍のときの各レンズ群の移動距離も適した範囲に設定できる。すると、過剰なレンズ群の移動距離に起因して、レンズユニットのサイズが大型化するような事態を抑制できる。
【００２１】
なお、本発明のレンズユニットでは、変倍のために、第１レンズ群と第３レンズ群とが移動するとき、第１レンズ群と第３レンズ群との群間距離が不変になるようにしてもよい。例えば、第１レンズ群と第３レンズ群とが連結状態になることで、変倍のときに同時に移動するようにしてもよい。かかる場合、これら両レンズ群が、例えばレンズユニットにおける同一のレンズ鏡胴内に収納でき、レンズ鏡胴が比較的小型になる。
【００２２】
また、本発明のレンズユニットでは、変倍中、第４レンズ群が不動であってもよい。かかる場合、この第４レンズ群を固定化できるので、レンズ鏡胴の構成を簡素化できるためである。
【００２３】
また、本発明のレンズユニットでは、第３レンズ群に限らず、第１レンズ群に、光軸変更素子（第２光軸変更素子）が含まれるようにしてもよい。かかる場合、光軸が折れ曲がることに起因して、さらに一層のコンパクト化が図れる。
【００２４】
なお、本発明は、下記の条件式（４）を満たす、高い変倍比を有するレンズユニットになっている。
４．７＜ｆｔ／ｆｗ  …  条件式（４）
ただし、
ｆｔ  ：  望遠端での変倍光学系全体の焦点距離
ｆｗ  ：  広角端での変倍光学系全体の焦点距離
である。
【００２５】
なお、上記したようなレンズユニットを含む本発明の撮像装置は、変倍比が極めて大きく、しかも、小型かつ高性能な撮像装置になる。
【発明の効果】
【００２６】
本発明のレンズユニットは、収差補正の高性能化とレンズユニットの小型化との調和を図るための範囲で、第３レンズ群の軸上厚みを設定している。したがって、本発明は、変倍比が極めて大きくても、小型かつ高性能（高い収差補正機能等）なレンズユニット等になる。
【発明を実施するための最良の形態】
【００２７】
［実施の形態１］
本発明の実施の一形態について、図面に基づいて説明すれば、以下の通りである。
【００２８】
〔１．デジタルカメラについて〕
図５・図６は、本発明の撮像装置の一例であるデジタルカメラ２９の概略構成図である。図５は、各部の内部ブロックの構成を示すとともに、デジタルカメラ２９に内蔵されたレンズユニット１（変倍光学系１１と撮像素子ＳＲとを含む構成）を示している。一方、図６は、デジタルカメラ２９の側面を示している。特に、この図６は、レンズユニット１を構成する変倍光学系１１の一例を示している。
【００２９】
図５に示すように、デジタルカメラ２９は、変倍光学系１１、光学系駆動部１３、撮像素子ＳＲ、信号処理部１４、表示部１５、記録部１６、記録媒体１７、操作部１８、および制御部１９を含むように構成されている。
【００３０】
変倍光学系１１は、撮影対象からの光を撮像素子ＳＲに導くとともに、その光を撮像素子ＳＲの受光面（像面）上に結像させる光学系である。したがって、この変倍光学系１１は、結像光学系や撮像光学系と表現してもよい。なお、変倍光学系１１の詳細については後述する。
【００３１】
光学系駆動部１３は、いくつかの駆動モータ（光学系用駆動モータ）と、その駆動力を変倍光学系１１を構成するレンズ群に伝達する伝達機構（光学系用伝達機構）とを有している（なお、駆動モータ・伝達機構は不図示）。そして、光学系駆動部１３は、駆動モータ・伝達機構を用いて、変倍光学系１１の焦点距離・焦点位置を設定する。具体的には、光学系駆動部１３は、制御部１９からの指示に応じて、焦点距離・焦点位置を設定する。
【００３２】
撮像素子ＳＲは、例えばＣＣＤ（Charge Coupled Device）のエリアセンサやＣＭＯＳ（Complementary Metal Oxide Semiconductor）センサ等であり、変倍光学系１１を経た光線を受光し、電気的信号（撮像データ）に変換する。そして、撮像素子ＳＲは、この撮像データを信号処理部１４へと出力する。
【００３３】
信号処理部１４は、撮像素子ＳＲからの電子データ（撮像データ）を処理することで、撮像データに基づいた撮像画像データを生成する。なお、この信号処理部１４は、制御部１９の指示に応じて処理動作のＯＮまたはＯＦＦを行う。また、制御部１９の指示に応じて、信号処理部１４は、撮像画像データを表示部１５や記録部１６に出力する。
【００３４】
表示部１５は、例えば液晶パネルから構成されており、信号処理部１４からの撮像画像データ等や、デジタルカメラ２９の使用状況等を表示する。
【００３５】
記録部１６は、制御部１９の指示に応じて、記録媒体１７に、信号処理部１４の生成した撮像画像データを記録する。また、記録部１６は、操作部１８等による操作に応じた制御部１９の指示に従い、記録媒体１７から撮像画像データを読み出す。
【００３６】
記録媒体１７は、例えばデジタルカメラ２９の内部に組み込まれるようになったものでもよいし、フラッシュメモリ等のように着脱可能なものであってもよい。要は、撮像画像データ等を記録できるような媒体（光ディスクや半導体メモリ等）であればよい。
【００３７】
操作部１８は、ユーザー等による各種操作指示を制御部１９に出力するものであり、例えばシャッターレリーズボタンや操作ダイヤル等から構成されている。
【００３８】
制御部１９は、デジタルカメラ２９全体の動作制御等を行う中枢部分となっており、デジタルカメラ２９の各部材の駆動を有機的に制御して、動作を統括制御する。
【００３９】
〔２．レンズユニットについて〕
ここで、変倍光学系１１と撮像素子ＳＲとから成る本発明のレンズユニット１について、図１、図５・図６を用いて説明する。図５・図６にて示されるレンズユニット１の一例は、デジタルカメラ２９の内部に収容されている。そして、レンズユニット１は、光学プリズムＰＲや反射ミラーＭＲを用いて光線を折り曲げるようになっている。
【００４０】
ただし、本発明のレンズユニット１は、このような光線を折り曲げるレンズ系（屈曲光学系）に限定されない（すなわち図５・図６での光学プリズムＰＲ・反射ミラーＭＲは設けられない場合でもよい）。そこで、図５・図６に示すレンズユニット１を一列状に展開した状態を示す図１（レンズ構成図）では、便宜上、反射ミラーＭＲを省略する。また、このレンズユニット１における光軸をＡＸ（ＡＸ１〜ＡＸ３；図５・図６参照）と表記する。
【００４１】
なお、この図１での「ＧＲｉ」はレンズ群を示し、「Ｌｉ」はレンズを示す。さらに、「ｓｉ」は面（透過面等）を示している。そして、「ＧＲｉ」・「Ｌｉ」・「ｓｉ」に付される数字（ｉ）は、物体側から像側に至るまでの順番を示している。また、非球面の面には、「＊」（アスタリスク）が付されている。そして、この図１に示される変倍光学系１１（ひいてはレンズユニット１）は実施例１と称する。
【００４２】
〈２−１．レンズユニットの構成について（実施例１）〉
レンズユニット１の変倍光学系１１は、撮影対象（物体側）から順に、第１レンズ群ＧＲ１、第２レンズ群ＧＲ２、第３レンズ群ＧＲ３、および第４レンズ群ＧＲ４を有している。
【００４３】
《第１レンズ群について》
第１レンズ群ＧＲ１は、物体側から順に、第１レンズＬ１、光学プリズムＰＲ、第２レンズＬ２、および第３レンズＬ３を含んでいる。そして、この第１レンズ群ＧＲ１は、全体として「正」の光学的パワー（屈折力）を有している。なお、パワーは、焦点距離の逆数で定義されている。
【００４４】
第１レンズ（前玉レンズ）Ｌ１は、物体側に凸の負メニスカスレンズである。
【００４５】
光学プリズム（光軸変更素子）ＰＲは、物体側からの光線を直角等に折り曲げることのできるプリズムである（例えば直角プリズムである）。なお、光学プリズムＰＲにおけるｓ３は光線の入射面、ｓ４は光線の射出面になっている。
【００４６】
第２レンズＬ２は、両側凸の正レンズ（両凸レンズ）であり、第３レンズＬ３は、物体側に凸の正メニスカスレンズである。
【００４７】
《第２レンズ群について》
第２レンズ群ＧＲ２は、物体側から順に、第４レンズＬ４、第５レンズＬ５、および第６レンズＬ６を含んでいる。そして、この第２レンズ群ＧＲ２は、全体として「負」の光学的パワーを有している。
【００４８】
第４レンズＬ４は、両側凹の負レンズ（両凹レンズ）である。なお、この第４レンズＬ４のｓ１０は非球面（非球面形状の屈折光学面、非球面と等価な屈折作用を有する面等）になっている。
【００４９】
第５レンズＬ５は、両側凹の負レンズであり、第６レンズＬ６は、両側凸の正レンズである。なお、第５レンズＬ５と第６レンズＬ６とは、ｓ１２・ｓ１３を接合することで接合レンズを構成している。また、接合方法として、接着剤等による接合が挙げられる（なお、後述の接合レンズの接合方法としても、同様に接着剤等の接合が挙げられる）。
【００５０】
《第３レンズ群について》
第３レンズ群ＧＲ３は、物体側から順に、光学絞りＳＴ、第７レンズＬ７、第８レンズＬ８、第９レンズＬ９、第１０レンズＬ１０、第１１レンズＬ１１、および第１２レンズ１２を含んでいる。そして、この第３レンズ群ＧＲ３は、全体として「正」の光学的パワーを有している。
【００５１】
光学絞りＳＴは、開口径ＲＳを可変できる絞りである。そして、この光学絞りＳＴは、第３レンズ群ＧＲ３と一体的に構成されている。なお、図１では、この光学絞りＳＴ自体を、便宜上、ｓ１５と表記している。
【００５２】
第７レンズ（第３レンズ群の最物体側レンズ）Ｌ７は、両側凸の正レンズである。なお、この第７レンズＬ７のｓ１６（物体側面）は非球面になっている。第８レンズＬ８は、物体側凹の負メニスカスレンズである。そして、第７レンズＬ７と第８レンズＬ８とは、ｓ１７・ｓ１８を接合することで接合レンズを構成している。
【００５３】
第９レンズＬ９は、物体側凸の負メニスカスレンズである。第１０レンズＬ１０は、両側凸の正レンズである。そして、第９レンズＬ９と第１０レンズＬ１０とは、ｓ２１・ｓ２２を接合することで接合レンズを構成している。
【００５４】
第１１レンズＬ１１は、物体側凹の負メニスカスレンズであり、第１２レンズＬ１２は、両側凸の正レンズである。
【００５５】
《第４レンズ群について》
第４レンズ群ＧＲ４は、物体側から順に、第１３レンズＬ１３、第１４レンズＬ１４、およびカバーガラスＣＧを含んでいる。そして、この第４レンズ群ＧＲ４は、全体として「正」の光学的パワーを有している。
【００５６】
第１３レンズＬ１３は、両側凸の正レンズである。なお、ｓ２８・ｓ２９は非球面になっている。第１４レンズＬ１４は、両側凹の負レンズである。
【００５７】
カバーガラスＣＧは、撮像素子ＳＲの受光面を保護する２面（ｓ３２・ｓ３３）構成のガラスである。したがって、カバーガラスＣＧのｓ３３と撮像素子ＳＲの受光面とは、極めて近づくように配設されている。なお、このカバーガラスＣＧが、撮像素子ＳＲの画素ピッチにより決定される所定の遮断周波数特性を有する光学的フィルター（例えば赤外線カットフィルター）の役割を果たすようになっていてもよい。
【００５８】
《撮像素子について》
なお、実施例１のレンズユニット１における撮像素子ＳＲは固定配置されている（不動になっている）。
【００５９】
〈２−２．変倍光学系（実施例１）のコンストラクションデータについて〉
次に、実施例１の変倍光学系１１のコンストラクションデータについて、表１・表２を用いて説明する。
【００６０】
【表１】
2006350049.tif 000003
【００６１】
この表１での「ｒｉ」は、各面（ｓｉ）における曲率半径［単位；ｍｍ］を示している。なお、非球面の面には、アスタリスク（＊）が付されている。「ｄｉ」は、ｉ番目の面（ｓｉ）と、ｉ＋１番目の面（ｓｉ＋１）との間における軸上面間隔［単位；ｍｍ］を示している。なお、ズーミングにより軸上面間隔が変化（変動）する場合、広角端状態（Ｗ）でのｄｉ・中間焦点距離状態（Ｍ）でのｄｉ・望遠端状態（Ｔ）でのｄｉが、この順で表記されている。
【００６２】
また、「Ｎｉ」・「υｉ」は、軸上面間隔（ｄｉ）での媒質の有する屈折率（Ｎｄ）・アッベ数（νｄ）を示している。なお、屈折率（Ｎｄ）・アッベ数（νｄ）は、ｄ線（波長５８７．５６ｎｍ）に対するものである。
【００６３】
また、「焦点距離状態」は、広角端状態（Ｗ；最短焦点距離状態）〜中間焦点距離状態（Ｍ）〜望遠端状態（Ｔ；最長焦点距離状態）を意味している。そして、「ｆ」・「ＦＮＯ」は、各焦点状態（Ｗ）・（Ｍ）・（Ｔ）に対応する全系の焦点距離［単位；ｍｍ］・Ｆナンバーを示している。
【００６４】
ところで、上記の非球面は、下記の式（定義式１）で定義される。
Ｘ（Ｈ）＝Ｃ0・Ｈ2／｛１＋√（１−ε・Ｃ02・Ｈ2）｝＋ΣＡｊ・Ｈj…（定義式
１）
ただし、定義式１中、
Ｈ      ：光軸ＡＸに対しての垂直方向の高さ
Ｘ（Ｈ）：高さＨの位置での光軸ＡＸ方向（サグ）の変位量
Ｃ0     ：近軸曲率（＝１／ｒｉ）
ε      ：２次曲面パラメータ
ｊ      ：非球面の次数、
Ａｊ    ：ｊ次の非球面係数
である。
【００６５】
そこで、非球面に関するデータ（非球面データ）を下記の表２に示す。ただし、表記されていない項の係数は「０」（ゼロ）であり、すべてのデータに関して、「Ｅ−ｎ」＝「×１０-n」になっている。
【００６６】
【表２】
2006350049.tif 000004
【００６７】
〈２−３．レンズユニットにおける各レンズ群の移動について〉
《ズーミングについて》
ここで、各レンズ群（ＧＲ１〜ＧＲ４）の移動について、図１を用いて説明する。通常、ズーミング等（変倍等）のとき、レンズユニット１は、各レンズ群の間隔を光軸ＡＸに沿って変化させる。例えば図１のレンズユニット１は、ズーミングのとき、各レンズ群における一部のレンズ群（第１レンズ群ＧＲ１〜第３レンズ群ＧＲ３）を、物体側へ移動させている。
【００６８】
かかるようなズーミングのときには、各レンズ群間の距離（群間距離）が変動する。そこで、図１は、ズーミングに伴って間隔変動の生じる軸上面間隔（ｄｉ）のみに番号を付している。具体的には、ｄ８・ｄ１４・ｄ２７が図示されている。また、図における矢印「ＭＭｉ」は、望遠端状態（Ｗ）から中間焦点状態（Ｍ）、さらには、中間焦点状態（Ｍ）から望遠端状態（Ｔ）に至るまでの各レンズ群の移動を模式的に表記している。なお、ＭＭｉのｉは物体側から像側に至るまでの順番を示している。したがって、各レンズ群の順番に対応する。
【００６９】
なお、図２〜図４は、ズーミングにおける変倍光学系１１の収差を示している。具体的には、図２（図２Ａ〜図２Ｃ）は広角端状態（Ｗ）での収差、図３（図３Ａ〜図３Ｃ）は中間焦点距離状態（Ｍ）での収差、図４（図４Ａ〜図４Ｃ）は望遠端状態（Ｔ）での収差を示している。
【００７０】
そして、図２Ａ・図３Ａ・図４Ａは球面収差（spherical aberration；Ｓ．Ａ．）・正弦条件（sine condition；Ｓ．Ｃ．）を示している。そして、図における線ｄはｄ線に対する球面収差［単位；ｍｍ］、破線ＳＣは正弦条件不満足量［単位；ｍｍ］を示している。なお、これらの図には、ＦＮＯ（Ｆナンバー）も表記されている。
【００７１】
図２Ｂ・図３Ｂ・図４Ｂは非点収差（astigmatism）を示している。そして、図における破線ＤＭは、メリジオナル面でのｄ線に対する非点収差［単位；ｍｍ］を示している。また、線ＤＳは、サジタル面でのｄ線に対する非点収差［単位；ｍｍ］を示している。なお、これらの図には、撮像素子ＳＲの受光面上での最大像高（光軸ＡＸからの距離）である「Ｙ’」［単位；ｍｍ］も表記されている。
【００７２】
図２Ｃ・図３Ｃ・図４Ｃは歪曲収差（distortion）を示している。そして、図における実線は、ｄ線に対する歪曲［単位；％］を示している。なお、これらの図にも、「Ｙ’」が表記されている。
【００７３】
〔３．本発明の種々の特徴の一例について〕
以上のように、本発明は、複数のレンズ群（ＧＲ１〜ＧＲ４）から成る変倍光学系１１と、この変倍光学系１１を経た光を受光する撮像素子ＳＲと、を含むレンズユニット１（実施例１のレンズユニット１）である。そして、これらの複数のレンズ群（ＧＲ１〜ＧＲ４）は、物体側から像側に向かって、少なくとも、正のパワーを有する第１レンズ群ＧＲ１と、負のパワーを有する第２レンズ群ＧＲ２と、正のパワーを有する第３レンズ群ＧＲ３と、正のパワーを有する第４レンズ群ＧＲ４と、を有している。
【００７４】
このような本発明のレンズユニット１は、広角端状態（Ｗ）から望遠端状態（Ｔ）までのズーミング（変倍）のとき、少なくとも第１レンズ群ＧＲ１を、像側から物体側へ移動させることで、各レンズ群間の少なくとも１つの間隔を変化させている。特に、本発明のレンズユニット１は、以下の条件式（Ａ）〔条件式（１）〕を満たすようになっている。
【００７５】
この条件式（Ａ）は、下記のようになっている（便宜上、図面ではＴＬ３・Ｙ’の符号を付していない）。
３＜ＴＬ３／Ｙ’＜８  …  条件式（Ａ）
ただし、
ＴＬ３：第３レンズ群ＧＲ３の軸上厚み［単位：ｍｍ］
Ｙ’  ：撮像素子ＳＲの像面における光軸ＡＸからの高さ（最大像高；撮像素子ＳＲにおける受光面（受光部）の対角長の１／２）
である。
なお、通常、撮像素子ＳＲのサイズ（例えば１．８型の撮像素子ＳＲ）に応じて、像高（最大像高Ｙ’）が定まっている。
【００７６】
この条件式（Ａ）は、第３レンズ群ＧＲ３の軸上厚み（光軸ＡＸ上の厚み）に関する式である。そして、この条件式（Ａ）は、第３レンズ群ＧＲ３の軸上厚みに基づいて、レンズユニットの小型化（例えば、レンズユニットの全長の短縮化）と、収差補正の高性能化との調和を図るための範囲を規定している。
【００７７】
最大像高Ｙ’に対する第３レンズ群ＧＲ３の軸上厚みＴＬ３の比が、条件式（Ａ）の上限値を超える（上回る）場合、第３レンズ群ＧＲ３の軸上厚みＴＬ３が比較的厚くなっているといえる。かかる場合、第３レンズ群ＧＲ３の厚みを利用して良好な収差補正を行うことができる。例えば第３レンズ群ＧＲ３の厚みを適切に設計することで、この第３レンズ群ＧＲ３内に生じる像高差を効率良く利用し、良好な収差補正が行える。
【００７８】
しかしながら、第３レンズ群ＧＲ３の軸上厚みＴＬ３が比較的厚くなっていることは、第３レンズ群ＧＲ３自体のサイズが過剰に大型化しているともいえる。そのため、条件式（Ａ）の上限値を超える場合には、レンズユニット１は、比較的大型化してしまうものの、良好な収差補正を行うことになる。
【００７９】
一方、最大像高Ｙ’に対する第３レンズ群ＧＲ３の軸上厚みＴＬ３の比が、条件式（Ａ）の下限値を超える（下回る）場合、第３レンズ群ＧＲ３の軸上厚みＴＬ３が比較的薄くなっているといえる（ひいては、第３レンズ群ＧＲ３自体のサイズが比較的小型化されているといえる）。
【００８０】
しかしながら、第３レンズ群の軸上厚みＴＬ３が比較的薄くなっていると、例えば第３レンズ群ＧＲ３の厚みを適切に設計できず、この第３レンズ群ＧＲ３内に生じる像高差を効率良く利用できない。その結果、良好な収差補正が難しくなる。そのため、条件式（Ａ）の下限値を超える場合、レンズユニット１は、高度な（良好な）収差補正を行い難いものの、比較的小型化を実現している。
【００８１】
以上より、条件式（１）の上限値を下回る場合には過剰なレンズユニットの大型化が抑制される一方、条件式（１）の下限値を上回る場合には良好な収差補正が行える。そのため、条件式（Ａ）の範囲内では、本発明は、コンパクトでありながら、良好な収差補正機能を有した（高性能化した）レンズユニット１になる。
【００８２】
なお、実施例１のレンズユニット１を条件式（Ａ）に対応させてみると、下記のようになる。
・実施例１のレンズユニット１でのＴＬ３／Ｙ’＝５．２０（後述の図４７参照）
【００８３】
また、さらなる良好な収差補正を可能にすべく、第３レンズ群ＧＲ３に含まれ、最も物体側に位置する最物体側レンズ（実施例１の変倍光学系１では第７レンズＬ７）における物体側の面（第７レンズＬ７のｓ１６）が非球面であってもよい。
【００８４】
本発明のように、正・負・正・正のパワー配置になっているレンズユニット１では、第３レンズ群ＧＲ３は、第２レンズ群ＧＲ２によって発散した光（発散光）を収斂させなくてはならない。特に、発散直後の光（光線）を収斂させなくてはならないために、第３レンズ群ＧＲ３には、比較的強い正のパワーが要求される。このような強い正のパワーのレンズ群によって収斂される光は、比較的、球面収差等を引き起こしやすい。
【００８５】
そこで、本発明のレンズユニット１は、第２レンズ群ＧＲ２を経た光が最初に到達する第７レンズＬ７のｓ１６（物体側面）を非球面にすることで、球面収差等を効果的に補正している。
【００８６】
さらに、第３レンズ群ＧＲ３に含まれ、最も物体側に位置する最物体側レンズにおける物体側の面は、条件式（Ｂ）を満たすとよい。
【００８７】
かかる条件式（Ｂ）は、下記のようになっている。
―３０＜（｜Ｘ｜−｜Ｘ0｜）×１０００／｛Ｃ0×（Ｎ’−Ｎ）×ｆ３｝＜−２
…  条件式（Ｂ）
ただし、
Ｘ  ：非球面の面形状〔定義式（１）におけるＸ（Ｈ）の値〕
Ｘ0 ：非球面の参照球面の面形状〔定義式（１）におけるC0・H2/｛1＋√(1-          ε・C02・H2)｝の値〕
Ｃ0 ：非球面の参照球面の曲率（近軸曲率）
Ｎ  ：非球面における物体側の媒質の屈折力
Ｎ’：非球面における像側の媒質の屈折力
ｆ３：第３レンズ群の焦点距離［単位：ｍｍ］
である。
【００８８】
この条件式（Ｂ）は、第３レンズ群ＧＲ３における正のパワーの調整に要する非球面形状に関する式である。つまり、この条件式（Ｂ）は、収差補正（球面収差等の補正）に必要な非球面形状にできる範囲を表している。
【００８９】
そして、この条件式（Ｂ）では、第３レンズ群ＧＲ３の比較的強い正のパワーに起因する球面収差等を補正しきれない場合（アンダー補正の場合）、条件式（Ｂ）の値が上限値を超えるようになっている。一方、球面収差等を補正しすぎる場合（オーバー補正の場合）、条件式（Ｂ）の値が下限値を超えるようになっている。
【００９０】
すると、条件式（Ｂ）の範囲内では、本発明は、さらに一層良好な収差補正機能を有したレンズユニット１になっているといえる。そして、本発明のレンズユニット１では、第７レンズＬ７の非球面（ｓ１６）における最大有効光路径の７割の高さで、この条件式（Ｂ）が満たされるようになっている。
【００９１】
なお、実施例１での条件式での、Ｘ、Ｘ0 、Ｃ0 、Ｎ、Ｎ’、ｆ３の値は下記のようになっている（後述の図４９参照）。
Ｘ  ＝  ０．２７９６００
Ｘ0 ＝  ０．２８３４５１
Ｃ0 ＝  ０．０８３５０７３
Ｎ  ＝  １．０００００
Ｎ’＝  １．６９３５０
ｆ３＝１５．７８４
【００９２】
そして、実施例１の変倍光学系１１を備えるレンズユニット１を条件式（Ｂ）に対応させてみると、下記のようになる。
【００９３】
・実施例１の（｜Ｘ｜−｜Ｘ0｜）×１０００／｛Ｃ0×（Ｎ’−Ｎ）×ｆ３｝
＝−４．２１（後述の図４７参照）
また、色収差補正の観点から、本発明のレンズユニット１では、第３レンズ群ＧＲ３における最物体側レンズ（実施例１での第７レンズＬ７）が、像側で隣り合う他のレンズ（第８レンズＬ８）と接合して、接合レンズ（接合レンズＬ７８と称す）になっていてもよい。
【００９４】
上記したように、第３レンズ群ＧＲ３は、第２レンズ群ＧＲ２によって発散された光を収斂させなくてはならず、比較的強い正のパワーを有するようになっている。特に、第２レンズ群ＧＲ２を経た光が最初に到達する第７レンズＬ７の正のパワーは大きくなりやすい。すると、この第７レンズ７Ｌ７に起因して、色収差も比較的強く現れやすくなる。
【００９５】
そこで、本発明のレンズユニット１は、第７レンズＬ７（両側凸の正レンズ）の像側面（ｓ１７；凸面）と、この第７レンズＬ７とは異種（異なる形状面）である第８レンズＬ８（物体側凹の負メニスカスレンズ）の物体側面（ｓ１８；凹面）とを接着等させることで、効果的に、色収差を補正している。
【００９６】
なお、さらなる色収差の補正を実現すべく、第３レンズ群ＧＲ３では、接合レンズ（Ｌ７８）の像側に、別の接合レンズ（第９レンズＬ９・第１０レンズから成る接合レンズＬ９１０）が位置していてもよい（つまり、接合レンズが、第３レンズ群ＧＲ３内に複数配設されてもよい）。
【００９７】
以上のような特徴を有する本発明は、種々の収差を効果的に補正できるレンズユニット１になっている一方、コンパクト化にも優れたレンズユニット１になる。その上、本発明のレンズユニット１に備えられる変倍光学系１１は、折り曲げ可能にもなり得る。
【００９８】
例えば、反射させることで光軸方向を変更させる反射ミラーＭＲ等（図５・図６参照）が、第３レンズ群ＧＲ３に含まれるようになっていてもよい。このような構成であれば、限られたデジタルカメラ２９のハウジング内の適した位置に、変倍光学系１１（レンズユニット１）を配置させることができる。その結果、デジタルカメラ２９の例えば高さ方向Ｕが抑制される。
【００９９】
なお、このような反射ミラーＭＲ等（光軸変更素子）がレンズユニット１に設けられるためには、一定のスペースを要する。しかし、過大なスペースであると、逆にレンズユニット１（ひいてはデジタルカメラ２９）が大型化してしまう。そこで、本発明のレンズユニット１では、下記のような条件式（Ｃ）〔条件式（２）〕を満たすことが好ましい。
【０１００】
この条件式（Ｃ）は、下記のようになっている（便宜上、図面でＴＬ３Mの符号を付していない）。
１＜ＴＬ３M／ＲＳ＜２  …  条件式（Ｃ）
ただし、
ＴＬ３M ：第３レンズ群ＧＲ３に含まれる各レンズ間の空気間隔において最大の空気              間隔［単位：ｍｍ］
ＲＳ    ：光学絞りＳＴの最大絞り径［単位：ｍｍ］
である。
【０１０１】
この条件式（Ｃ）は、第３レンズ群ＧＲ３における最大スペース（光軸ＡＸ上の空気間隔；ＴＬ３M）を光学絞りＳＴの最大絞り径ＲＳで規定している。
【０１０２】
最大絞り径ＲＳに対する空気間隔ＴＬ３Mの比が、条件式（Ｃ）の上限値を超える場合、第３レンズ群ＧＲ３の全長が比較的長くなる。かかる場合、空気間隔ＴＬ３Mを利用して、反射ミラーＭＲ等の光軸変更素子が適切に配設できる。その結果、例えば光路（光軸）を折り曲げるときに、光（光束）が干渉しないように、反射ミラーＭＲ等を配設できる。
【０１０３】
しかしながら、第３レンズ群ＧＲ３の全長が長くなっていると、変倍光学系１１（ひいてはレンズユニット１）の全長も比較的長くなってしまう。そのため、条件式（Ｃ）の上限値を超える場合には、変倍光学系１１が比較的大型化してしまうものの、良好に反射ミラーＭＲ等を配設できるレンズユニット１といえる。
【０１０４】
一方、最大絞り径ＲＳに対する空気間隔ＴＬ３Mの比が、条件式（Ｃ）の下限値を超える場合、第３レンズ群ＧＲ３の全長が比較的短くなる。かかる場合、短くなった第３レンズ群ＧＲ３を含む変倍光学系１１ゆえに、その変倍光学系１１（レンズユニット１）が、デジタルカメラ２９のハウジング内で、適切に配置される。
【０１０５】
しかしながら、第３レンズ群ＧＲ３の全長が比較的短くなっていることから、反射ミラーＭＲ等を配置させるスペースが極めて狭くなる可能が生じる。そのため、例えば反射ミラーＭＲ等で光路（光軸）を折り曲げるときに、光（光束）が干渉してしまうような事態が生じ得る。そのため、条件式（Ｃ）の下限値を超える場合には、反射ミラーＭＲ等を適切な位置に配設することが難しいものの、小型化されたレンズユニット１になる。
【０１０６】
以上より、条件式（Ｃ）の上限値を下回る場合にはレンズユニット１の過剰な大型化が抑制される一方、条件式（Ｃ）の下限値を上回る場合には良好に反射ミラーＭＲ等が配設できる。そのため、条件式（Ｃ）の範囲内では、本発明のレンズユニット１は、コンパクトでありながら、良好に（例えば光路の干渉の生じないように）光軸変更素子を配設できる。
【０１０７】
なお、実施例１の変倍光学系１１を備えるレンズユニット１を条件式（Ｃ）に対応させてみると、下記のようになる。
・実施例１のＴＬ３M／ＲＳ＝１．４３（後述の図４７参照）
【０１０８】
ところで、本発明のレンズユニット１は、図１に示すように、第１レンズ群ＧＲ１〜第３レンズ群ＧＲ３を移動させることで、ズーミング可能になっている。一般的に、正・負・正・正のパワー配置を有する変倍光学系１１でのズーミングでは、負のパワーを有する第２レンズ群ＧＲ２がズーミングを負担する場合が多い。しかしながら、本発明のレンズユニット１は、第３レンズ群ＧＲ３等も移動させることで、第２レンズ群ＧＲ２の変倍負担を軽減させている。つまり、本発明のレンズユニット１は、ズーミングのために要する第２レンズ群ＧＲ２前後の間隔変化量を小さくさせている。
【０１０９】
このようなレンズユニット１は、条件式（Ｄ）〔条件式（３）〕を満たしていることが好ましい。
【０１１０】
条件式（Ｄ）は下記のようになっている。
１．５＜β３ｔ／β３ｗ＜３．５  …  条件式（Ｄ）
ただし、
β３ｔ：望遠端での第３レンズ群ＧＲ３の横倍率
β３ｗ：広角端での第３レンズ群ＧＲ３の横倍率
である。
【０１１１】
この条件式（Ｄ）は、第３レンズ群ＧＲ３の変倍比を適切な範囲に規定するものである。そして、横倍率β３ｗに対する横倍率β３ｔの比が、条件式（Ｄ）の上限値を超える場合、第３レンズ群ＧＲ３の変倍負担が大きくなって、第３レンズ群ＧＲ３の前後の間隔変化が大きくなる。一方、横倍率β３ｗに対する横倍率β３ｔの比が、条件式（Ｄ）の下限値を超える場合、第２レンズ群ＧＲ２の変倍負担が大きくなって、第２レンズ群ＧＲ２の前後の間隔変化が大きくなる。
【０１１２】
このように、第２レンズ群ＧＲ２・第３レンズ群ＧＲ３のいずれか一方に過度の変倍負担がかかると、一方のみのレンズ群における前後の間隔変化が過剰に大きくなりやすい。そのため、一方のレンズ群の移動距離が長くなりやすいといえる。このように一方のみのレンズ群の移動距離が長くなると、それに起因してそのレンズ群近傍のスペースも増加してしまう。すると、デジタルカメラ２９におけるハウジング内の限られたスペースに、レンズ群を適切に収納できず、例えばデジタルカメラ２９の高さ方向Ｕ（第２レンズ群ＧＲ２が長い場合）や水平方向Ｖ（第３レンズ群ＧＲ３が長い場合）が増加してまう（図５・図６参照）。
【０１１３】
また、第２レンズ群ＧＲ２・第３レンズ群ＧＲ３のいずれか一方に過度の変倍負担を負わせると、その過度の負担を負うレンズ群内での種々の収差も大きくなってしまうという問題も生じる。この点からも、本発明のレンズユニット１は、第２レンズ群ＧＲ２・第３レンズ群ＧＲ３に、適切に変倍負担を割り振っている。
【０１１４】
以上より、条件式（Ｄ）の範囲内では、本発明は、種々の収差の発生を抑制しつつも、デジタルカメラ２９におけるハウジング内の限られたスペースに、レンズ群を適切に収納できる（配置自由度の高い）レンズユニット１になる。
【０１１５】
なお、実施例１の変倍光学系１１を備えるレンズユニット１を条件式（Ｄ）に対応させてみると、下記のようになる。
・実施例１のβ３ｔ／β３ｗ＝２．２８（後述の図４７参照）
【０１１６】
また、本発明のレンズユニット１は、ズーミングで、第１レンズ群ＧＲと第３レンズＧＲ３とを移動させるとき、両者（第１レンズ群ＧＲ１・第３レンズＧＲ３）の群間距離を不変にしてもよい。例えば、レンズユニット１は、第１レンズ群ＧＲ１および第３レンズＧＲ３をレンズ枠（不図示）を介して一体にさせることで、両者を同時移動させてもよい。
【０１１７】
このように、第１レンズ群ＧＲ１と第３レンズ群ＧＲ３とが連結状態（リンク状態）になっていると、これら両レンズ群ＧＲ１・ＧＲ３が同一のレンズ鏡胴内（不図示）に収納できる。その結果、レンズ鏡胴が比較的コンパクトになりやすい。
【０１１８】
また、第１レンズ群ＧＲ１・第３レンズＧＲ３毎に対応する移動用動力源（モータ等）も不要になる。つまり、単一の動力源のみで、第１レンズ群ＧＲ１・第３レンズＧＲ３の２つのレンズ群を移動させることができる。
【０１１９】
なお、第４レンズ群ＧＲ４が不動になったズーミングであってもよい。かかる場合、この第４レンズ群ＧＲ４自体を固定配設できるので、レンズ鏡胴の構成を簡素化できる上、第４レンズ群ＧＲ４に対応する移動用動力源も不要になる。
【０１２０】
また、さらなる配置自由度を高めるために、本発明のレンズユニット１は、第１レンズ群ＧＲ１に光学プリズムＰＲを含ませるようにしていもよい（図１・図５・図６参照）。このように第１レンズ群ＧＲ１に、光学プリズムＰＲが設けられていると、上記同様に、デジタルカメラ２９におけるハウジング内の限られたスペースに、レンズ群を適切に収納できる（配置自由度の高い）レンズユニット１になる。特に、図６に示すように、デジタルカメラ２９の奥行き方向Ｚを比較的短くできる。
【０１２１】
〔４．他の実施例について〕
本発明のレンズユニット１は、上記の実施例１の変倍光学系１１を備えるものに限定されない。そこで、説明してきた効果を発揮する他の変倍光学系１１（実施例２）を具備したレンズユニット１について説明する。
【０１２２】
〈実施例２の変倍光学系について〉
図７に示す実施例２での変倍光学系１１（ひいてはレンズユニット１）は、実施例１同様、撮影対象から順に、第１レンズ群ＧＲ１、第２レンズ群ＧＲ２、第３レンズ群ＧＲ３、および第４レンズ群ＧＲ４を有し、「正・負・正・正」の光学的パワー配置になっている。さらに、第４レンズ群ＧＲ４に含まれるカバーガラスＣＧには、撮像素子ＳＲが固定されている。
【０１２３】
《第１レンズ群について》
第１レンズ群ＧＲ１は、物体側から順に、第１レンズＬ１、光学プリズムＰＲ、第２レンズＬ２、および第３レンズＬ３を含んでいる。そして、各レンズは、下記のような特徴を有している。
・第１レンズＬ１：物体側凸の負メニスカスレンズ
・第２レンズＬ２：両側凸の正レンズ
・第３レンズＬ３：物体側凸の正メニスカスレンズ
【０１２４】
《第２レンズ群について》
第２レンズ群ＧＲ２は、物体側から順に、第４レンズＬ４、第５レンズＬ５、および第６レンズＬ６を含んでいる。そして、各レンズは、下記のような特徴を有している。
・第４レンズＬ４：物体側凸の負メニスカスレンズ（ｓ１０は非球面）
・第５レンズＬ５：両側凹の負レンズ
・第６レンズＬ６：両側凸の正レンズ
なお、第５レンズＬ５と第６レンズＬ６とは、ｓ１２・ｓ１３を接合することで接合レンズを構成している。
【０１２５】
《第３レンズ群について》
第３レンズ群ＧＲ３は、物体側から順に、光学絞りＳＴ（ｓ１５とも表記、第３レンズ群ＧＲ３と一体構成）、第７レンズ（最物体側レンズ）Ｌ７、第８レンズＬ８、第９レンズＬ９、第１０レンズＬ１０、第１１レンズＬ１１、および第１２レンズＬ１２を含んでいる。そして、各レンズは、下記のような特徴を有している。
・第７レンズＬ７    ：両側凸の正レンズ〔ｓ１６（物体側面）は非球面〕
・第８レンズＬ８    ：物体側凹の負メニスカスレンズ
・第９レンズＬ９    ：物体側凸の負メニスカスレンズ
・第１０レンズＬ１０：両側凸の正レンズ
・第１１レンズＬ１１：物体側凹の負メニスカスレンズ
・第１２レンズＬ１２：両側凸の正レンズ
なお、第７レンズＬ７と第８レンズＬ８とは、ｓ１７・ｓ１８を接合することで接合レンズを構成し、第９レンズＬ９と第１０レンズＬ１０とは、ｓ２１・ｓ２２を接合することで接合レンズを構成している。
【０１２６】
《第４レンズ群について》
第４レンズ群ＧＲ４は、物体側から順に、第１３レンズＬ１３、第１４レンズＬ１４、およびカバーガラスＣＧ（ｓ３２・ｓ３３を有する２面構成のガラス）を含んでいる。そして、各レンズは、下記のような特徴を有している。
・第１３レンズＬ１３：両側凸の正レンズ（ｓ２８・ｓ２９は非球面）
・第１４レンズＬ１４：両側凹の負レンズ
【０１２７】
《変倍光学系（実施例２）のコンストラクションデータについて》
次に、実施例２の変倍光学系１１のコンストラクションデータについて、表３・表４を用いて説明する。なお、この表３・表４は、上記の表１・表２と同様の表現になっている。
【０１２８】
【表３】
2006350049.tif 000005
【０１２９】
【表４】
2006350049.tif 000006
【０１３０】
《レンズユニットにおける各レンズ群の移動について》
《《ズーミングについて》》
実施例２の変倍光学系１１は、図７に示すように、ズーミングの場合、各レンズ群における少なくとも一部のレンズ群（第１レンズ群ＧＲ１〜第３レンズ群ＧＲ３）を、物体側へ移動させている。そこで、図７は、ズーミングに伴って間隔変動の生じる軸上面間隔（ｄｉ）のみに番号を付している。具体的には、ｄ８・ｄ１４・ｄ２７が図示されている。
【０１３１】
なお、図８〜図１０は、ズーミングにおける実施例２の変倍光学系１１の収差を示している。そして、この図８〜図１０は、図２〜図４と同様の表現になっている。
【０１３２】
［実施の形態２］
本発明の実施の形態２について説明する。なお、実施の形態１で用いた部材と同様の機能を有する部材については、同一の符号を付記し、その説明を省略する。
【０１３３】
実施の形態１でのレンズユニット１では、第３レンズ群ＧＲ３における最物体側のレンズ（Ｌ７）の物体側の面が非球面（ｓ１６）になっているものを挙げて説明してきた。しかしながら、本発明はこれに限定されるものではない。
【０１３４】
〔１．種々の変倍光学系を備える本発明のレンズユニットの構成について〕
例えば、第３レンズ群ＧＲ３における最像側のレンズ（Ｌｉ）が非球面を有してもよい。そこで、かかるような変倍光学系１１（実施例３〜７）を備えるレンズユニット１について説明する。
【０１３５】
なお、下記の実施例３〜７での変倍光学系１１のレンズ群（ＧＲ１〜ＧＲ４）も、実施例１・２同様、撮影対象から順に、第１レンズ群ＧＲ１、第２レンズ群ＧＲ２、第３レンズ群ＧＲ３、および第４レンズ群ＧＲ４を有し、「正・負・正・正」の光学的パワー配置になっている。さらに、第４レンズ群ＧＲ４に含まれるカバーガラスＣＧには、撮像素子ＳＲが固定されている（なお、撮像素子ＳＲおよび第４レンズ群ＧＲ４は変倍のとき不動である）。
【０１３６】
〈実施例３の変倍光学系について（図１１参照）〉
《第１レンズ群について》
第１レンズ群ＧＲ１は、物体側から順に、第１レンズＬ１、光学プリズムＰＲ、第２レンズＬ２、および第３レンズＬ３を含んでいる。そして、各レンズは、下記のような特徴を有している。
・第１レンズＬ１：物体側凸の負メニスカスレンズ
・第２レンズＬ２：両側凸の正レンズ
・第３レンズＬ３：物体側凸の正メニスカスレンズ
【０１３７】
《第２レンズ群について》
第２レンズ群ＧＲ２は、物体側から順に、第４レンズＬ４、第５レンズＬ５、および第６レンズＬ６を含んでいる。そして、各レンズは、下記のような特徴を有している。
・第４レンズＬ４：両側凹の負レンズ（ｓ１０は非球面）
・第５レンズＬ５：両側凹の負レンズ
・第６レンズＬ６：両側凸の正レンズ
なお、第５レンズＬ５と第６レンズＬ６とは、ｓ１２・ｓ１３を接合することで接合レンズを構成している。
【０１３８】
《第３レンズ群について》
第３レンズ群ＧＲ３は、物体側から順に、光学絞りＳＴ（ｓ１５とも表記、第３レンズ群ＧＲ３と一体構成）、第７レンズ（最物体側レンズ）Ｌ７、第８レンズＬ８、第９レンズＬ９、第１０レンズＬ１０、および第１１レンズ（最像側レンズ）Ｌ１１を含んでいる。そして、各レンズは、下記のような特徴を有している。
・第７レンズＬ７    ：両側凸の正レンズ〔ｓ１６（物体側面）は非球面〕
・第８レンズＬ８    ：物体側凹の負メニスカスレンズ
・第９レンズＬ９    ：物体側凸の負メニスカスレンズ
・第１０レンズＬ１０：物体側凸の正メニスカスレンズ
・第１１レンズＬ１１：物体側凸の正メニスカスレンズ（ｓ２４・ｓ２５は非球面）
なお、第７レンズＬ７と第８レンズＬ８とは、ｓ１７・ｓ１８を接合することで接合レンズを構成しており、第９レンズＬ９と第１０レンズＬ１０とは、ｓ２１・ｓ２２を接合することで接合レンズを構成している。
【０１３９】
《第４レンズ群について》
第４レンズ群ＧＲ４は、物体側から順に、第１２レンズＬ１２、およびカバーガラスＣＧ（ｓ２８・ｓ２９を有する２面構成のガラス）を含んでいる。そして、第１２レンズＬ１２は、下記のような特徴を有している。
・第１２レンズＬ１２：物体側凸の正レンズ（ｓ２６・ｓ２７は非球面）
【０１４０】
《変倍光学系（実施例３）のコンストラクションデータについて》
次に、実施例３の変倍光学系１１のコンストラクションデータについて、表５・表６を用いて説明する。なお、この表５・表６は、上記の表１・表２と同様の表現になっている。
【０１４１】
【表５】
2006350049.tif 000007
【０１４２】
【表６】
2006350049.tif 000008
【０１４３】
《レンズユニットにおける各レンズ群の移動について》
《《ズーミングについて》》
実施例３の変倍光学系１１は、図１１に示すように、ズーミングの場合、各レンズ群における少なくとも一部のレンズ群（第１レンズ群ＧＲ１〜第３レンズ群ＧＲ３）を、物体側へ移動させている。そこで、図１１は、ズーミングに伴って間隔変動の生じる軸上面間隔（ｄｉ）のみに番号を付している。具体的には、ｄ８・ｄ１４・ｄ２５が図示されている。
【０１４４】
なお、図１２〜図１４は、ズーミングにおける実施例３の変倍光学系１１の収差を示している。そして、この図１２〜図１４は、図２〜図４と同様の表現になっている。
【０１４５】
〈実施例４の変倍光学系について（図１５参照）〉
《第１レンズ群について》
第１レンズ群ＧＲ１は、物体側から順に、第１レンズＬ１、光学プリズムＰＲ、第２レンズＬ２、および第３レンズＬ３を含んでいる。そして、各レンズは、下記のような特徴を有している。
・第１レンズＬ１：物体側凸の負メニスカスレンズ
・第２レンズＬ２：両側凸の正レンズ
・第３レンズＬ３：両側凸の正レンズ
【０１４６】
《第２レンズ群について》
第２レンズ群ＧＲ２は、物体側から順に、第４レンズＬ４、第５レンズＬ５、および第６レンズＬ６を含んでいる。そして、各レンズは、下記のような特徴を有している。
・第４レンズＬ４：両側凹の負レンズ（ｓ１０は非球面）
・第５レンズＬ５：両側凹の負レンズ
・第６レンズＬ６：両側凸の正レンズ
なお、第５レンズＬ５と第６レンズＬ６とは、ｓ１２・ｓ１３を接合することで接合レンズを構成している。
【０１４７】
《第３レンズ群について》
第３レンズ群ＧＲ３は、物体側から順に、光学絞りＳＴ（ｓ１５とも表記、第３レンズ群ＧＲ３と一体構成）、第７レンズ（最物体側レンズ）Ｌ７、第８レンズＬ８、第９レンズＬ９、第１０レンズＬ１０、および第１１レンズ（最像側レンズ）Ｌ１１を含んでいる。そして、各レンズは、下記のような特徴を有している。
・第７レンズＬ７    ：両側凸の正レンズ〔ｓ１６（物体側面）は非球面〕
・第８レンズＬ８    ：物体側凹の負メニスカスレンズ
・第９レンズＬ９    ：物体側凸の負メニスカスレンズ
・第１０レンズＬ１０：物体側凸の正メニスカスレンズ
・第１１レンズＬ１１：両側凸の正レンズ（ｓ２４・ｓ２５は非球面）
なお、第７レンズＬ７と第８レンズＬ８とは、ｓ１７・ｓ１８を接合することで接合レンズを構成し、第９レンズＬ９と第１０レンズＬ１０とは、ｓ２１・ｓ２２を接合することで接合レンズを構成している。
【０１４８】
《第４レンズ群について》
第４レンズ群ＧＲ４は、物体側から順に、第１２レンズＬ１２、第１３レンズＬ１３、およびカバーガラスＣＧ（ｓ３０・ｓ３１を有する２面構成のガラス）を含んでいる。そして、各レンズは、下記のような特徴を有している。
・第１２レンズＬ１２：両側凸の正レンズ（ｓ２６・ｓ２７は非球面）
・第１３レンズＬ１３：両側凹の負レンズ
【０１４９】
《変倍光学系（実施例４）のコンストラクションデータについて》
次に、実施例４の変倍光学系１１のコンストラクションデータについて、表７・表８を用いて説明する。なお、この表７・表８は、上記の表１・表２と同様の表現になっている。
【０１５０】
【表７】
2006350049.tif 000009
【０１５１】
【表８】
2006350049.tif 000010
【０１５２】
《レンズユニットにおける各レンズ群の移動について》
《《ズーミングについて》》
実施例４の変倍光学系１１は、図１５に示すように、ズーミングの場合、各レンズ群における少なくとも一部のレンズ群（第１レンズ群ＧＲ１〜第３レンズ群ＧＲ３）を、物体側へ移動させている。そこで、図１５は、ズーミングに伴って間隔変動の生じる軸上面間隔（ｄｉ）のみに番号を付している。具体的には、ｄ８・ｄ１４・ｄ２５が図示されている。
【０１５３】
なお、図１６〜図１８は、ズーミングにおける実施例４の変倍光学系１１の収差を示している。そして、この図１６〜図１８は、図２〜図４と同様の表現になっている。
【０１５４】
〈実施例５の変倍光学系について（図１９参照）〉
《第１レンズ群について》
第１レンズ群ＧＲ１は、物体側から順に、第１レンズＬ１、光学プリズムＰＲ、第２レンズＬ２、および第３レンズＬ３を含んでいる。そして、各レンズは、下記のような特徴を有している。
・第１レンズＬ１：物体側凸の負メニスカスレンズ
・第２レンズＬ２：両側凸の正レンズ
・第３レンズＬ３：両側凸の正レンズ
【０１５５】
《第２レンズ群について》
第２レンズ群ＧＲ２は、物体側から順に、第４レンズＬ４、第５レンズＬ５、および第６レンズＬ６を含んでいる。そして、各レンズは、下記のような特徴を有している。
・第４レンズＬ４：両側凹の負レンズ（ｓ１０は非球面）
・第５レンズＬ５：両側凹の負レンズ
・第６レンズＬ６：両側凸の正レンズ
なお、第５レンズＬ５と第６レンズＬ６とは、ｓ１２・ｓ１３を接合することで接合レンズを構成している。
【０１５６】
《第３レンズ群について》
第３レンズ群ＧＲ３は、物体側から順に、光学絞りＳＴ（ｓ１５とも表記、第３レンズ群ＧＲ３と一体構成）、第７レンズ（最物体側レンズ）Ｌ７、第８レンズＬ８、第９レンズＬ９、第１０レンズＬ１０、および第１１レンズ（最像側レンズ）Ｌ１１を含んでいる。そして、各レンズは、下記のような特徴を有している。
・第７レンズＬ７    ：両側凸の正レンズ〔ｓ１６（物体側面）は非球面〕
・第８レンズＬ８    ：物体側凹の負メニスカスレンズ
・第９レンズＬ９    ：物体側凸の負メニスカスレンズ
・第１０レンズＬ１０：物体側凸の正メニスカスレンズ
・第１１レンズＬ１１：物体側凸の正メニスカスレンズ（ｓ２４・ｓ２５は非球面）
なお、第７レンズＬ７と第８レンズＬ８とは、ｓ１７・ｓ１８を接合することで接合レンズを構成し、第９レンズＬ９と第１０レンズＬ１０とは、ｓ２１・ｓ２２を接合することで接合レンズを構成している。
【０１５７】
《第４レンズ群について》
第４レンズ群ＧＲ４は、物体側から順に、第１２レンズＬ１２、第１３レンズＬ１３、およびカバーガラスＣＧ（ｓ３０・ｓ３１を有する２面構成のガラス）を含んでいる。そして、各レンズは、下記のような特徴を有している。
・第１２レンズＬ１２：両側凸の正レンズ（ｓ２６・ｓ２７は非球面）
・第１３レンズＬ１３：両側凹の負レンズ
【０１５８】
《変倍光学系（実施例５）のコンストラクションデータについて》
次に、実施例５の変倍光学系１１のコンストラクションデータについて、表９・表１０を用いて説明する。なお、この表９・表１０は、上記の表１・表２と同様の表現になっている。
【０１５９】
【表９】
2006350049.tif 000011
【０１６０】
【表１０】
2006350049.tif 000012
【０１６１】
《レンズユニットにおける各レンズ群の移動について》
《《ズーミングについて》》
実施例５の変倍光学系１１は、図１９に示すように、ズーミングの場合、各レンズ群における少なくとも一部のレンズ群（第１レンズ群ＧＲ１〜第３レンズ群ＧＲ３）を、物体側へ移動させている。そこで、図１９は、ズーミングに伴って間隔変動の生じる軸上面間隔（ｄｉ）のみに番号を付している。具体的には、ｄ８・ｄ１４・ｄ２５が図示されている。
【０１６２】
なお、図２０〜図２２は、ズーミングにおける実施例５の変倍光学系１１の収差を示している。そして、この図２０〜図２２は、図２〜図４と同様の表現になっている。
【０１６３】
〈実施例６の変倍光学系について（図２３参照）〉
《第１レンズ群について》
第１レンズ群ＧＲ１は、物体側から順に、第１レンズＬ１、光学プリズムＰＲ、第２レンズＬ２、および第３レンズＬ３を含んでいる。そして、各レンズは、下記のような特徴を有している。
・第１レンズＬ１：物体側凸の負メニスカスレンズ
・第２レンズＬ２：両側凸の正レンズ
・第３レンズＬ３：物体側凸の正メニスカスレンズ
【０１６４】
《第２レンズ群について》
第２レンズ群ＧＲ２は、物体側から順に、第４レンズＬ４、第５レンズＬ５、および第６レンズＬ６を含んでいる。そして、各レンズは、下記のような特徴を有している。
・第４レンズＬ４：物体側凸の負メニスカスレンズ（ｓ１０は非球面）
・第５レンズＬ５：両側凹の負レンズ
・第６レンズＬ６：両側凸の正レンズ
なお、第５レンズＬ５と第６レンズＬ６とは、ｓ１２・ｓ１３を接合することで接合レンズを構成している。
【０１６５】
《第３レンズ群について》
第３レンズ群ＧＲ３は、物体側から順に、光学絞りＳＴ（ｓ１５とも表記、第３レンズ群ＧＲ３と一体構成）、第７レンズ（最物体側レンズ）Ｌ７、第８レンズＬ８、第９レンズＬ９、第１０レンズＬ１０、および第１１レンズ（最像側レンズ）Ｌ１１を含んでいる。そして、各レンズは、下記のような特徴を有している。
・第７レンズＬ７    ：両側凸の正レンズ〔ｓ１６（物体側面）は非球面〕
・第８レンズＬ８    ：物体側凹の負メニスカスレンズ
・第９レンズＬ９    ：物体側凸の負メニスカスレンズ
・第１０レンズＬ１０：物体側凸の正メニスカスレンズ
・第１１レンズＬ１１：物体側凸の正メニスカスレンズ（ｓ２４・ｓ２５は非球面）
なお、第７レンズＬ７と第８レンズＬ８とは、ｓ１７・ｓ１８を接合することで接合レンズを構成し、第９レンズＬ９と第１０レンズＬ１０とは、ｓ２１・ｓ２２を接合することで接合レンズを構成している。
【０１６６】
《第４レンズ群について》
第４レンズ群ＧＲ４は、物体側から順に、第１２レンズＬ１２、第１３レンズＬ１３、およびカバーガラスＣＧ（ｓ３０・ｓ３１を有する２面構成のガラス）を含んでいる。そして、各レンズは、下記のような特徴を有している。
・第１２レンズＬ１２：両側凸の正レンズ（ｓ２６・ｓ２７は非球面）
・第１３レンズＬ１３：物体側凹の負メニスカスレンズ
【０１６７】
《変倍光学系（実施例６）のコンストラクションデータについて》
次に、実施例６の変倍光学系１１のコンストラクションデータについて、表１１・表１２を用いて説明する。なお、この表１１・表１２は、上記の表１・表２と同様の表現になっている。
【０１６８】
【表１１】
2006350049.tif 000013
【０１６９】
【表１２】
2006350049.tif 000014
【０１７０】
《レンズユニットにおける各レンズ群の移動について》
《《ズーミングについて》》
実施例６の変倍光学系１１は、図２３に示すように、ズーミングの場合、各レンズ群における少なくとも一部のレンズ群（第１レンズ群ＧＲ１〜第３レンズ群ＧＲ３）を、物体側へ移動させている。そこで、図２３は、ズーミングに伴って間隔変動の生じる軸上面間隔（ｄｉ）のみに番号を付している。具体的には、ｄ８・ｄ１４・ｄ２５が図示されている。
【０１７１】
なお、図２４〜図２６は、ズーミングにおける実施例６の変倍光学系１１の収差を示している。そして、この図２４〜図２６は、図２〜図４と同様の表現になっている。
【０１７２】
〈実施例７の変倍光学系について（図２７参照）〉
《第１レンズ群について》
第１レンズ群ＧＲ１は、物体側から順に、第１レンズＬ１、光学プリズムＰＲ、第２レンズＬ２、および第３レンズＬ３を含んでいる。そして、各レンズは、下記のような特徴を有している。
・第１レンズＬ１：物体側凸の負メニスカスレンズ
・第２レンズＬ２：両側凸の正レンズ
・第３レンズＬ３：物体側凸の正メニスカスレンズ
【０１７３】
《第２レンズ群について》
第２レンズ群ＧＲ２は、物体側から順に、第４レンズＬ４、第５レンズＬ５、および第６レンズＬ６を含んでいる。そして、各レンズは、下記のような特徴を有している。
・第４レンズＬ４：両側凹の負レンズ（ｓ１０は非球面）
・第５レンズＬ５：両側凹の負レンズ
・第６レンズＬ６：両側凸の正レンズ
なお、第５レンズＬ５と第６レンズＬ６とは、ｓ１２・ｓ１３を接合することで接合レンズを構成している。
【０１７４】
《第３レンズ群について》
第３レンズ群ＧＲ３は、物体側から順に、光学絞りＳＴ（ｓ１５とも表記、第３レンズ群ＧＲ３と一体構成）、第７レンズ（最物体側レンズ）Ｌ７、第８レンズＬ８、第９レンズＬ９、第１０レンズＬ１０、および第１１レンズ（最像側レンズ）Ｌ１１を含んでいる。そして、各レンズは、下記のような特徴を有している。
・第７レンズＬ７    ：両側凸の正レンズ〔ｓ１６（物体側面）は非球面〕
・第８レンズＬ８    ：物体側凹の負メニスカスレンズ
・第９レンズＬ９    ：両側凸の正レンズ
・第１０レンズＬ１０：両側凹の負レンズ
・第１１レンズＬ１１：物体側凹の負メニスカスレンズ（ｓ２４・ｓ２５は非球面）
なお、第７レンズＬ７と第８レンズＬ８とは、ｓ１７・ｓ１８を接合することで接合レンズを構成し、第９レンズＬ９と第１０レンズＬ１０とは、ｓ２１・ｓ２２を接合することで接合レンズを構成している。
【０１７５】
《第４レンズ群について》
第４レンズ群ＧＲ４は、物体側から順に、第１２レンズＬ１２、およびカバーガラスＣＧ（ｓ２８・ｓ２９を有する２面構成のガラス）を含んでいる。そして、第１２レンズＬ１２は、下記のような特徴を有している。
・第１２レンズＬ１２：物体側凸の正メニスカスレンズ（ｓ２６・ｓ２７は非球面）
【０１７６】
《変倍光学系（実施例７）のコンストラクションデータについて》
次に、実施例７の変倍光学系１１のコンストラクションデータについて、表１３・表１４を用いて説明する。なお、この表１３・表１４は、上記の表１・表２と同様の表現になっている。
【０１７７】
【表１３】
2006350049.tif 000015
【０１７８】
【表１４】
2006350049.tif 000016
【０１７９】
《レンズユニットにおける各レンズ群の移動について》
《《ズーミングについて》》
実施例７の変倍光学系１１は、図２７に示すように、ズーミングの場合、各レンズ群における少なくとも一部のレンズ群を移動させている。具体的には、第１レンズ群ＧＲ１〜第３レンズ群ＧＲ３は物体側に移動する（ただし、第２レンズ群ＧＲ２は物体側へ進んだ後に像側へＵターン移動する）。そこで、図２７は、ズーミングに伴って間隔変動の生じる軸上面間隔（ｄｉ）のみに番号を付している。具体的には、ｄ８・ｄ１４・ｄ２５が図示されている。
【０１８０】
なお、図２８〜図３０は、ズーミングにおける実施例７の変倍光学系１１の収差を示している。そして、この図２８〜図３０は、図２〜図４と同様の表現になっている。
【０１８１】
〔２．本発明の種々の特徴の一例について〕
実施例３〜７の変倍光学系１１を備えたレンズユニット１は、第３レンズ群ＧＲ３における最像側のレンズ（Ｌｉ）が非球面を有している点以外、実施の形態１と類似した構成といえる。したがって、このようなレンズユニット１が、実施の形態１で説明した作用効果を奏じることはいうまでもない。
【０１８２】
その上、この実施の形態２におけるレンズユニット１では、第３レンズ群ＧＲ３に含まれ、最も像側に位置するレンズ（第１１レンズ１１）の面（ｓ２４・ｓ２５）のうち、少なくとも１つの面（レンズ面）が非球面になっている。
【０１８３】
例えば、非点収差や歪曲収差等（軸外収差）は、光軸ＡＸ外の光線（軸外光線）に基づいて発生しやすい。そして、このような収差を補正するには、像側に近いレンズ面を用いて補正することが効果的といわれている。そこで、本発明は、第３レンズ群ＧＲ３において最も像側に位置するレンズの少なくとも一つのレンズ面を非球面（非球面形状）にし、効果的に軸外収差の補正を実現している。
【０１８４】
［実施の形態３］
本発明の実施の形態３について説明する。なお、実施の形態１・２で用いた部材と同様の機能を有する部材については、同一の符号を付記し、その説明を省略する。
【０１８５】
実施の形態１・２においては、第４レンズ群ＧＲ４が不動のズーミングを行うレンズユニット１を例に挙げて説明してきた。しかしながら、本発明はこれに限定されるものではない。
【０１８６】
〔１．種々の変倍光学系を備える本発明のレンズユニットの構成について〕
例えば、第４レンズ群ＧＲ４が可動なズーミングを行うレンズユニット１であってもよい。そこで、かかるような変倍光学系１１（実施例８〜１０）を備えるレンズユニット１について説明する。
【０１８７】
なお、下記の実施例８〜１０での変倍光学系１１のレンズ群（ＧＲ１〜ＧＲ４）も、実施例１・２同様、撮影対象から順に、第１レンズ群ＧＲ１、第２レンズ群ＧＲ２、第３レンズ群ＧＲ３、第４レンズ群ＧＲ４を有し、「正・負・正・正」の光学的パワー配置になっている。さらに、第４レンズ群ＧＲ４の像側に、カバーガラスＣＧと不動な撮像素子ＳＲとから構成される撮像素子ユニットＳＵが配置されている。なお、この撮像素子ユニットＳＵは物体側から順に５番目の位置になっていることから、以下で、ＳＵ５と表記する場合がある。
【０１８８】
〈実施例８の変倍光学系について（図３１参照）〉
《第１レンズ群について》
第１レンズ群ＧＲ１は、物体側から順に、第１レンズＬ１、光学プリズムＰＲ、第２レンズＬ２、および第３レンズＬ３を含んでいる。そして、各レンズは、下記のような特徴を有している。
・第１レンズＬ１：物体側凸の負メニスカスレンズ
・第２レンズＬ２：両側凸の正レンズ
・第３レンズＬ３：両側凸の正レンズ
【０１８９】
《第２レンズ群について》
第２レンズ群ＧＲ２は、物体側から順に、第４レンズＬ４、第５レンズＬ５、および第６レンズＬ６を含んでいる。そして、各レンズは、下記のような特徴を有している。
・第４レンズＬ４：両側凹の負レンズ（ｓ９は非球面）
・第５レンズＬ５：両側凹の負レンズ
・第６レンズＬ６：両側凸の正レンズ
なお、第５レンズＬ５と第６レンズＬ６とは、ｓ１２・ｓ１３を接合することで接合レンズを構成している。
【０１９０】
《第３レンズ群について》
第３レンズ群ＧＲ３は、物体側から順に、光学絞りＳＴ（ｓ１５とも表記、第３レンズ群ＧＲ３と一体構成）、第７レンズ（最物体側レンズ）Ｌ７、第８レンズＬ８、第９レンズＬ９、および第１０レンズＬ１０を含んでいる。そして、各レンズは、下記のような特徴を有している。
・第７レンズＬ７    ：両側凸の正レンズ〔ｓ１６（物体側面）は非球面〕
・第８レンズＬ８    ：物体側凹の負メニスカスレンズ
・第９レンズＬ９    ：両側凸の正レンズ（ｓ２０は非球面）
・第１０レンズＬ１０：物体側凹の負メニスカスレンズ
なお、第７レンズＬ７と第８レンズＬ８とは、ｓ１７・ｓ１８を接合することで接合レンズを構成し、第９レンズＬ９と第１０レンズＬ１０とは、ｓ２１・ｓ２２を接合することで接合レンズを構成している。
【０１９１】
《第４レンズ群について》
第４レンズ群ＧＲ４は、物体側から順に、第１１レンズＬ１１、および第１２レンズＬ１２を含んでいる。そして、各レンズは、下記のような特徴を有している。
・第１１レンズＬ１１：物体側凹の負メニスカスレンズ
・第１２レンズＬ１２：両側凸の正レンズ（ｓ２６・ｓ２７は非球面）
【０１９２】
《撮像素子ユニットについて》
なお、撮像素子ユニットＳＵ５のカバーガラスＣＧは、撮像素子ＳＲの受光面を保護する２面（ｓ２８・ｓ２９）構成のガラスである。
【０１９３】
《変倍光学系（実施例８）のコンストラクションデータについて》
次に、実施例８の変倍光学系１１のコンストラクションデータについて、表１５・表１６を用いて説明する。なお、この表１５・表１６は、上記の表１・表２と同様の表現になっている。
【０１９４】
【表１５】
2006350049.tif 000017
【０１９５】
【表１６】
2006350049.tif 000018
【０１９６】
《レンズユニットにおける各レンズ群の移動について》
《《ズーミングについて》》
実施例８の変倍光学系１１は、図３１に示すように、ズーミングの場合、各レンズ群における一部のレンズ群（第１レンズ群ＧＲ１〜第３レンズ群ＧＲ３）を物体側へ移動させる一方、残りのレンズ群（第４レンズ群ＧＲ４）を像側へ移動させている。そこで、図３１は、ズーミングに伴って間隔変動の生じる軸上面間隔（ｄｉ）のみに番号を付している。具体的には、ｄ８・ｄ１４・ｄ２３・ｄ２７が図示されている。
【０１９７】
なお、図３２〜図３４は、ズーミングにおける実施例８の変倍光学系１１の収差を示している。そして、この図３２〜図３４は、図２〜図４と同様の表現になっている。
【０１９８】
〈実施例９の変倍光学系について（図３５参照）〉
《第１レンズ群について》
第１レンズ群ＧＲ１は、物体側から順に、第１レンズＬ１、光学プリズムＰＲ、第２レンズＬ２、および第３レンズＬ３を含んでいる。そして、各レンズは、下記のような特徴を有している。
・第１レンズＬ１：物体側凸の負メニスカスレンズ
・第２レンズＬ２：両側凸の正レンズ
・第３レンズＬ３：両側凸の正レンズ
【０１９９】
《第２レンズ群について》
第２レンズ群ＧＲ２は、物体側から順に、第４レンズＬ４、第５レンズＬ５、および第６レンズＬ６を含んでいる。そして、各レンズは、下記のような特徴を有している。
・第４レンズＬ４：両側凹の負レンズ（ｓ９は非球面）
・第５レンズＬ５：両側凹の負レンズ
・第６レンズＬ６：両側凸の正レンズ
なお、第５レンズＬ５と第６レンズＬ６とは、ｓ１２・ｓ１３を接合することで接合レンズを構成している。
【０２００】
《第３レンズ群について》
第３レンズ群ＧＲ３は、物体側から順に、光学絞りＳＴ（ｓ１５とも表記、第３レンズ群ＧＲ３と一体構成）、第７レンズ（最物体側レンズ）Ｌ７、第８レンズＬ８、第９レンズＬ９、および第１０レンズＬ１０を含んでいる。そして、各レンズは、下記のような特徴を有している。
・第７レンズＬ７    ：両側凸の正レンズ〔ｓ１６（物体側面）は非球面〕
・第８レンズＬ８    ：物体側凹の負メニスカスレンズ
・第９レンズＬ９    ：両側凸の正レンズ（ｓ２０は非球面）
・第１０レンズＬ１０：物体側凹の負メニスカスレンズ
なお、第７レンズＬ７と第８レンズＬ８とは、ｓ１７・ｓ１８を接合することで接合レンズを構成し、第９レンズＬ９と第１０レンズＬ１０とは、ｓ２１・ｓ２２を接合することで接合レンズを構成している。
【０２０１】
《第４レンズ群について》
第４レンズ群ＧＲ４は、第１１レンズＬ１１のみから構成されている。そして、この第１１レンズＬ１１は、下記のような特徴を有している。
・第１１レンズＬ１１：両側凸の正レンズ（ｓ２４・ｓ２５は非球面）
【０２０２】
《撮像素子ユニットについて》
なお、撮像素子ユニットＳＵ５のカバーガラスＣＧは、撮像素子ＳＲの受光面を保護する２面（ｓ２６・ｓ２７）構成のガラスである。
【０２０３】
《変倍光学系（実施例９）のコンストラクションデータについて》
次に、実施例９の変倍光学系１１のコンストラクションデータについて、表１７・表１８を用いて説明する。なお、この表１７・表１８は、上記の表１・表２と同様の表現になっている。
【０２０４】
【表１７】
2006350049.tif 000019
【０２０５】
【表１８】
2006350049.tif 000020
【０２０６】
《レンズユニットにおける各レンズ群の移動について》
《《ズーミングについて》》
実施例９の変倍光学系１１は、図３５に示すように、ズーミングの場合、各レンズ群における一部のレンズ群（第１レンズ群ＧＲ１〜第３レンズ群ＧＲ３）を物体側へ移動させる一方、残りのレンズ群（第４レンズ群ＧＲ４）を像側へ移動させている。そこで、図３５は、ズーミングに伴って間隔変動の生じる軸上面間隔（ｄｉ）のみに番号を付している。具体的には、ｄ８・ｄ１４・ｄ２３・ｄ２５が図示されている。
【０２０７】
なお、図３６〜図３８は、ズーミングにおける実施例９の変倍光学系１１の収差を示している。そして、この図３６〜図３８は、図２〜図４と同様の表現になっている。
【０２０８】
〈実施例１０の変倍光学系について（図３９参照）〉
《第１レンズ群について》
第１レンズ群ＧＲ１は、物体側から順に、第１レンズＬ１、光学プリズムＰＲ、第２レンズＬ２、および第３レンズＬ３を含んでいる。そして、各レンズは、下記のような特徴を有している。
・第１レンズＬ１：物体側凸の負メニスカスレンズ
・第２レンズＬ２：両側凸の正レンズ
・第３レンズＬ３：両側凸の正レンズ
【０２０９】
《第２レンズ群について》
第２レンズ群ＧＲ２は、物体側から順に、第４レンズＬ４、第５レンズＬ５、および第６レンズＬ６を含んでいる。そして、各レンズは、下記のような特徴を有している。
・第４レンズＬ４：両側凹の負レンズ（ｓ９は非球面）
・第５レンズＬ５：両側凹の負レンズ
・第６レンズＬ６：両側凸の正レンズ
なお、第５レンズＬ５と第６レンズＬ６とは、ｓ１２・ｓ１３を接合することで接合レンズを構成している。
【０２１０】
《第３レンズ群について》
第３レンズ群ＧＲ３は、物体側から順に、光学絞りＳＴ（ｓ１５とも表記、第３レンズ群ＧＲ３と一体構成）、第７レンズ（最物体側レンズ）Ｌ７、第８レンズＬ８、第９レンズＬ９、第１０レンズＬ１０、および第１１レンズＬ１１を含んでいる。そして、各レンズは、下記のような特徴を有している。
・第７レンズＬ７    ：両側凸の正レンズ〔ｓ１６（物体側面）は非球面〕
・第８レンズＬ８    ：物体側凹の負メニスカスレンズ
・第９レンズＬ９    ：両側凸の正レンズ（ｓ２０は非球面）
・第１０レンズＬ１０：両側凸の正レンズ
・第１１レンズＬ１１：物体凹の負メニスカスレンズ
なお、第７レンズＬ７と第８レンズＬ８とは、ｓ１７・ｓ１８を接合することで接合レンズを構成し、第１０レンズＬ１０と第１１レンズＬ１１とは、ｓ２３・ｓ２４を接合することで接合レンズを構成している。
【０２１１】
《第４レンズ群について》
第４レンズ群ＧＲ４は、第１２レンズＬ１２のみから構成されている。そして、この第１２レンズＬ１２は、下記のような特徴を有している。
・第１２レンズＬ１２：物体側凸の正メニスカスレンズ（ｓ２６は非球面）
【０２１２】
《撮像素子ユニットについて》
なお、撮像素子ユニットＳＵ５のカバーガラスＣＧは、撮像素子ＳＲの受光面を保護する２面（ｓ２８・ｓ２９）構成のガラスである。
【０２１３】
《変倍光学系（実施例１０）のコンストラクションデータについて》
次に、実施例１０の変倍光学系１１のコンストラクションデータについて、表１９・表２０を用いて説明する。なお、この表１９・表２０は、上記の表１・表２と同様の表現になっている。
【０２１４】
【表１９】
2006350049.tif 000021
【０２１５】
【表２０】
2006350049.tif 000022
【０２１６】
《レンズユニットにおける各レンズ群の移動について》
《《ズーミングについて》》
実施例１０の変倍光学系１１は、図３９に示すように、ズーミングの場合、全てのレンズ群（第１レンズ群ＧＲ１〜第４レンズ群ＧＲ４）を物体側へ移動させている（ただし、第４レンズ群ＧＲ４は物体側へ進んだ後に像側へＵターン移動する）。そこで、図３９は、ズーミングに伴って間隔変動の生じる軸上面間隔（ｄｉ）のみに番号を付している。具体的には、ｄ８・ｄ１４・ｄ２５・ｄ２７が図示されている。
【０２１７】
なお、図４０〜図４２は、ズーミングにおける実施例１０の変倍光学系１１の収差を示している。そして、この図４０〜図４２は、図２〜図４と同様の表現になっている。
【０２１８】
〔２．本発明の種々の特徴の一例について〕
実施例８〜１０の変倍光学系１１を備えたレンズユニット１は、第４レンズ群ＧＲ４が可動するズーミングを行う点で、実施の形態１・２のレンズユニット１と異なっている。しかしながら、その他は実施の形態１と類似した構成といえる。したがって、このようなレンズユニット１が、上記してきた実施の形態での特徴に対応する作用効果を奏じることはいうまでもない。
【０２１９】
［実施の形態４］
本発明の実施の形態４について説明する。なお、実施の形態１〜３で用いた部材と同様の機能を有する部材については、同一の符号を付記し、その説明を省略する。
【０２２０】
〔１．種々の変倍光学系を備える本発明のレンズユニットの構成について〕
本発明のレンズユニット１は、光軸ＡＸを折り曲げ可能な変倍光学系を備えてもよいし（すなわち屈曲光学系であってもよいし；図５・図６参照）、一列に並ぶストレート型の変倍光学系１１を備えていてもよい。ただし、光軸ＡＸを折り曲げる部材は、反射ミラーＭＲに限定されるものではない。
【０２２１】
例えば、光学プリズムＰＲ’（第２の光学プリズム）であってもよい。そこで、以下に、光学プリズムＰＲ’を有した変倍光学系１１（実施例１１）について説明する。なお、下記の実施例１１では、実施例８〜１０同様に、レンズ群（ＧＲ１〜ＧＲ４）と撮像素子ユニットＳＵ５とが配設されている。また、レンズ群（ＧＲ１〜ＧＲ４）も、「正・負・正・正」の光学的パワーを有している。
【０２２２】
〈実施例１１の変倍光学系について（図４３参照）〉
《第１レンズ群について》
第１レンズ群ＧＲ１は、物体側から順に、第１レンズＬ１、光学プリズム（第１光学プリズム）ＰＲ、第２レンズＬ２、および第３レンズＬ３を含んでいる。そして、各レンズは、下記のような特徴を有している。
・第１レンズＬ１：物体側凸の負メニスカスレンズ
・第２レンズＬ２：両側凸の正レンズ
・第３レンズＬ３：物体側凸の正メニスカスレンズ
【０２２３】
《第２レンズ群について》
第２レンズ群ＧＲ２は、物体側から順に、第４レンズＬ４、第５レンズＬ５、および第６レンズＬ６を含んでいる。そして、各レンズは、下記のような特徴を有している。
・第４レンズＬ４：物体側凸の負メニスカスレンズ（ｓ１０は非球面）
・第５レンズＬ５：両側凹の負レンズ
・第６レンズＬ６：両側凸の正レンズ
なお、第５レンズＬ５と第６レンズＬ６とは、ｓ１２・ｓ１３を接合することで接合レンズを構成している。
【０２２４】
《第３レンズ群について》
第３レンズ群ＧＲ３は、物体側から順に、光学絞りＳＴ（ｓ１５とも表記、第３レンズ群ＧＲ３と一体構成）、第７レンズ（最物体側レンズ）Ｌ７、光学プリズム（第２光学プリズム）ＰＲ’、第８レンズＬ８、第９レンズＬ９、第１０レンズＬ１０、および第１１レンズ（最像側レンズ）Ｌ１１を含んでいる。そして、各レンズ（光学プリズムＰＲ’を含む）は、下記のような特徴を有している。
・第７レンズＬ７    ：物体側凸の平凸レンズ〔ｓ１６（物体側面）は非球面〕
・光学プリズムＰＲ’；例えば第１光学プリズムＰＲと同様な光学プリズム
・第８レンズＬ８    ：両側凸の正レンズ
・第９レンズＬ９    ：両側凹の負レンズ
・第１０レンズＬ１０：両側凹の負レンズ
・第１１レンズＬ１１：物体凸の正メニスカスレンズ（ｓ２６・ｓ２７は非球面）
なお、第７レンズＬ７と光学プリズムＰＲ’とは、ｓ１７・ｓ１８を介して接合している。また、第８レンズＬ８と第９レンズＬ９とは、ｓ２１・ｓ２２を接合することで接合レンズを構成している。
【０２２５】
《第４レンズ群について》
第４レンズ群ＧＲ４は、第１２レンズＬ１２、および第１３レンズＬ１３を含んでいる。そして、各レンズは、下記のような特徴を有している。
・第１２レンズＬ１２：両側凸の正レンズ（ｓ２８・ｓ２９は非球面）
・第１３レンズＬ１３：物体側凹の負メニスカスレンズ
【０２２６】
《撮像素子ユニットについて》
なお、撮像素子ユニットＳＵ５のカバーガラスＣＧは、撮像素子ＳＲの受光面を保護する２面（ｓ３２・ｓ３３）構成のガラスである。
【０２２７】
《変倍光学系（実施例１１）のコンストラクションデータについて》
次に、実施例１１の変倍光学系１１のコンストラクションデータについて、表２１・表２２を用いて説明する。なお、この表２１・表２２は、上記の表１・表２と同様の表現になっている。
【０２２８】
【表２１】
2006350049.tif 000023
【０２２９】
【表２２】
2006350049.tif 000024
【０２３０】
《レンズユニットにおける各レンズ群の移動について》
《《ズーミングについて》》
実施例１１の変倍光学系１１は、図４３に示すように、ズーミングの場合、各レンズ群における少なくとも一部のレンズ群を移動させている。具体的には、第１レンズ群ＧＲ１〜第４レンズ群ＧＲ４（すなわち全てのレンズ群）が物体側に移動する（ただし、第２レンズ群ＧＲ２は物体側へ進んだ後に像側へＵターン移動する）。そこで、図４３は、ズーミングに伴って間隔変動の生じる軸上面間隔（ｄｉ）のみに番号を付している。具体的には、ｄ８・ｄ１４・ｄ２７・ｄ３１が図示されている。
【０２３１】
なお、図４４〜図４６は、ズーミングにおける実施例１１の変倍光学系１１の収差を示している。そして、この図４６〜図４７は、図２〜図４と同様の表現になっている。
【０２３２】
〔２．本発明の種々の特徴の一例について〕
実施例１１の変倍光学系１１を備えたレンズユニット１は、第３レンズ群ＧＲ３に光学プリズムＰＲ’を含む点で、他の実施の形態とは異なっている。しかしながら、本実施の形態の変倍光学系１１（ひいてはレンズユニット１）は、実施の形態１の特徴（ただし、第３レンズ群ＧＲ３に複数の接合レンズはない）、さらには実施の形態２の特徴（第３レンズ群ＧＲ３の最像側レンズに非球面がある点等）を包含している。したがって、本実施の形態のレンズユニット１は、上記してきた実施の形態での特徴に対応する作用効果を奏じる。
【０２３３】
［その他の実施の形態］
なお、本発明は上記の実施の形態に限定されず、本発明の趣旨を逸脱しない範囲で、種々の変更が可能である。例えば、本発明のレンズユニット１におけるズーム比（変倍比）は、特に限定されるものではないが、下記の条件式（Ｅ）〔条件式（４）〕を満たすことが好ましい。
【０２３４】
条件式（Ｅ）は、下記のようになっている。
４．７＜ｆｔ／ｆｗ
ただし、
ｆｔ  ：  望遠端での変倍光学系全体の焦点距離
ｆｗ  ：  広角端での変倍光学系全体の焦点距離
である。
【０２３５】
条件式（Ｅ）は、変倍光学系１１（ひいてはレンズユニット１）のズーム比を表している。すると、この条件式（Ｅ）を満たすことは、従来のデジタルカメラ２９のズーム比（例えば３倍程度）に比べて、かなり高いズーム比を有することになる。つまり、本発明は、高いズーム比を備えながら、上記してきた効果を奏じるレンズユニット１になっている。このことにより、本発明の変倍光学系１１におけるズーム性能（変倍性能）の有意性が大きくなり、ユーザーベネフィットが達成可能となる。
【０２３６】
なお、以上の説明では、条件式（Ａ）〜条件式（Ｅ）を説明してきた。そこで、各実施例１〜１１に対応させた条件式（Ａ）〜条件式（Ｅ）の値を図４７に示す。また、条件式（Ａ）、（Ｃ）、（Ｄ）、または（Ｅ）の値を求めるために必要な、ＴＬ３、Ｙ’、ＴＬ３M、ＲＳ、β３ｔ、β３ｗ、ｆｔ、ｆｗの値を図４８に、条件式（Ｂ）の値を求めるために必要なＸ、Ｘ0 、Ｃ0 、Ｎ、Ｎ’、ｆ３の値を図４９に示す。そして、この図４７に示すように、本発明の実施例１〜１１の変倍光学系１１（レンズユニット１）は、条件式（Ａ）〜条件式（Ｅ）の全てを満たすようになっている。
【０２３７】
ところで、本発明のコンパクトなレンズユニット１は、種々の撮像装置（銀塩写真カメラやデジタルスチルカメラ等）やデジタル入力機器（例えば撮像装置を具備したデジタル機器）に用いられる。したがって、本発明のレンズユニット１を用いた撮像装置等は、コンパクトなものになる。また、撮像装置等における限られたハウジング内の容積に占めるレンズユニット１の割合は、比較的小さくなる。そのため、撮像装置等の余裕のあるハウジング内に、種々の部品（電子部品等）が配置できる（ハウジング容積の有効活用が達成できる）。したがって、種々の部品を搭載した高性能な撮像装置が実現できる。
【０２３８】
また、図５・図６に示すような撮像装置２９は、撮像素子ＳＲを固定し、光軸変更素子（光学プリズムＰＲまたは反射ミラーＭＲ）を含む第１レンズ群ＧＲ１・第３レンズ群ＧＲ３を移動させるようにしてズーミング等を行う構成であってもよい。また、撮像装置２９が、光軸変更素子を含む第１レンズ群ＧＲ１・第３レンズ群ＧＲ３を固定し、撮像素子ＳＲを移動させるようにしてズーミング等を行う構成であってもよい。
【産業上の利用可能性】
【０２３９】
本発明は、変倍可能な光学系や、その光学系を備えた撮像装置に有用である。
【図面の簡単な説明】
【０２４０】
【図１】実施例１の変倍光学系を備えるレンズユニットのレンズ構成図である。
【図２Ａ】広角端状態（Ｗ）になった変倍光学系（実施例１）の球面収差図である。
【図２Ｂ】広角端状態（Ｗ）になった変倍光学系（実施例１）の非点収差図である。
【図２Ｃ】広角端状態（Ｗ）になった変倍光学系（実施例１）の歪曲収差図である。
【図３Ａ】中間焦点距離状態（Ｍ）になった変倍光学系（実施例１）の球面収差図である。
【図３Ｂ】中間焦点距離状態（Ｍ）になった変倍光学系（実施例１）の非点収差図である。
【図３Ｃ】中間焦点距離状態（Ｍ）になった変倍光学系（実施例１）の歪曲収差図である。
【図４Ａ】望遠端状態（Ｔ）になった変倍光学系（実施例１）の球面収差図である。
【図４Ｂ】望遠端状態（Ｔ）になった変倍光学系（実施例１）の非点収差図である。
【図４Ｃ】望遠端状態（Ｔ）になった変倍光学系（実施例１）の歪曲収差図である。
【図５】各実施の形態のデジタルカメラであり、背面からの概略構成図である。
【図６】各実施の形態のデジタルカメラであり、側面からの概略構成図である。
【図７】実施例２の変倍光学系を備えるレンズユニットのレンズ構成図である。
【図８Ａ】広角端状態（Ｗ）になった変倍光学系（実施例２）の球面収差図である。
【図８Ｂ】広角端状態（Ｗ）になった変倍光学系（実施例２）の非点収差図である。
【図８Ｃ】広角端状態（Ｗ）になった変倍光学系（実施例２）の歪曲収差図である。
【図９Ａ】中間焦点距離状態（Ｍ）になった変倍光学系（実施例２）の球面収差図である。
【図９Ｂ】中間焦点距離状態（Ｍ）になった変倍光学系（実施例２）の非点収差図である。
【図９Ｃ】中間焦点距離状態（Ｍ）になった変倍光学系（実施例２）の歪曲収差図である。
【図１０Ａ】望遠端状態（Ｔ）になった変倍光学系（実施例２）の球面収差図である。
【図１０Ｂ】望遠端状態（Ｔ）になった変倍光学系（実施例２）の非点収差図である。
【図１０Ｃ】望遠端状態（Ｔ）になった変倍光学系（実施例２）の歪曲収差図である。
【図１１】実施例３の変倍光学系を備えるレンズユニットのレンズ構成図である。
【図１２Ａ】広角端状態（Ｗ）になった変倍光学系（実施例３）の球面収差図である。
【図１２Ｂ】広角端状態（Ｗ）になった変倍光学系（実施例３）の非点収差図である。
【図１２Ｃ】広角端状態（Ｗ）になった変倍光学系（実施例３）の歪曲収差図である。
【図１３Ａ】中間焦点距離状態（Ｍ）になった変倍光学系（実施例３）の球面収差図である。
【図１３Ｂ】中間焦点距離状態（Ｍ）になった変倍光学系（実施例３）の非点収差図である。
【図１３Ｃ】中間焦点距離状態（Ｍ）になった変倍光学系（実施例３）の歪曲収差図である。
【図１４Ａ】望遠端状態（Ｔ）になった変倍光学系（実施例３）の球面収差図である。
【図１４Ｂ】望遠端状態（Ｔ）になった変倍光学系（実施例３）の非点収差図である。
【図１４Ｃ】望遠端状態（Ｔ）になった変倍光学系（実施例３）の歪曲収差図である。
【図１５】実施例４の変倍光学系を備えるレンズユニットのレンズ構成図である。
【図１６Ａ】広角端状態（Ｗ）になった変倍光学系（実施例４）の球面収差図である。
【図１６Ｂ】広角端状態（Ｗ）になった変倍光学系（実施例４）の非点収差図である。
【図１６Ｃ】広角端状態（Ｗ）になった変倍光学系（実施例４）の歪曲収差図である。
【図１７Ａ】中間焦点距離状態（Ｍ）になった変倍光学系（実施例４）の球面収差図である。
【図１７Ｂ】中間焦点距離状態（Ｍ）になった変倍光学系（実施例４）の非点収差図である。
【図１７Ｃ】中間焦点距離状態（Ｍ）になった変倍光学系（実施例４）の歪曲収差図である。
【図１８Ａ】望遠端状態（Ｔ）になった変倍光学系（実施例４）の球面収差図である。
【図１８Ｂ】望遠端状態（Ｔ）になった変倍光学系（実施例４）の非点収差図である。
【図１８Ｃ】望遠端状態（Ｔ）になった変倍光学系（実施例４）の歪曲収差図である。
【図１９】実施例５の変倍光学系を備えるレンズユニットのレンズ構成図である。
【図２０Ａ】広角端状態（Ｗ）になった変倍光学系（実施例５）の球面収差図である。
【図２０Ｂ】広角端状態（Ｗ）になった変倍光学系（実施例５）の非点収差図である。
【図２０Ｃ】広角端状態（Ｗ）になった変倍光学系（実施例５）の歪曲収差図である。
【図２１Ａ】中間焦点距離状態（Ｍ）になった変倍光学系（実施例５）の球面収差図である。
【図２１Ｂ】中間焦点距離状態（Ｍ）になった変倍光学系（実施例５）の非点収差図である。
【図２１Ｃ】中間焦点距離状態（Ｍ）になった変倍光学系（実施例５）の歪曲収差図である。
【図２２Ａ】望遠端状態（Ｔ）になった変倍光学系（実施例５）の球面収差図である。
【図２２Ｂ】望遠端状態（Ｔ）になった変倍光学系（実施例５）の非点収差図である。
【図２２Ｃ】望遠端状態（Ｔ）になった変倍光学系（実施例５）の歪曲収差図である。
【図２３】実施例６の変倍光学系を備えるレンズユニットのレンズ構成図である。
【図２４Ａ】広角端状態（Ｗ）になった変倍光学系（実施例６）の球面収差図である。
【図２４Ｂ】広角端状態（Ｗ）になった変倍光学系（実施例６）の非点収差図である。
【図２４Ｃ】広角端状態（Ｗ）になった変倍光学系（実施例６）の歪曲収差図である。
【図２５Ａ】中間焦点距離状態（Ｍ）になった変倍光学系（実施例６）の球面収差図である。
【図２５Ｂ】中間焦点距離状態（Ｍ）になった変倍光学系（実施例６）の非点収差図である。
【図２５Ｃ】中間焦点距離状態（Ｍ）になった変倍光学系（実施例６）の歪曲収差図である。
【図２６Ａ】望遠端状態（Ｔ）になった変倍光学系（実施例６）の球面収差図である。
【図２６Ｂ】望遠端状態（Ｔ）になった変倍光学系（実施例６）の非点収差図である。
【図２６Ｃ】望遠端状態（Ｔ）になった変倍光学系（実施例６）の歪曲収差図である。
【図２７】実施例７の変倍光学系を備えるレンズユニットのレンズ構成図である。
【図２８Ａ】広角端状態（Ｗ）になった変倍光学系（実施例７）の球面収差図である。
【図２８Ｂ】広角端状態（Ｗ）になった変倍光学系（実施例７）の非点収差図である。
【図２８Ｃ】広角端状態（Ｗ）になった変倍光学系（実施例７）の歪曲収差図である。
【図２９Ａ】中間焦点距離状態（Ｍ）になった変倍光学系（実施例７）の球面収差図である。
【図２９Ｂ】中間焦点距離状態（Ｍ）になった変倍光学系（実施例７）の非点収差図である。
【図２９Ｃ】中間焦点距離状態（Ｍ）になった変倍光学系（実施例７）の歪曲収差図である。
【図３０Ａ】望遠端状態（Ｔ）になった変倍光学系（実施例７）の球面収差図である。
【図３０Ｂ】望遠端状態（Ｔ）になった変倍光学系（実施例７）の非点収差図である。
【図３０Ｃ】望遠端状態（Ｔ）になった変倍光学系（実施例７）の歪曲収差図である。
【図３１】実施例８の変倍光学系を備えるレンズユニットのレンズ構成図である。
【図３２Ａ】広角端状態（Ｗ）になった変倍光学系（実施例８）の球面収差図である。
【図３２Ｂ】広角端状態（Ｗ）になった変倍光学系（実施例８）の非点収差図である。
【図３２Ｃ】広角端状態（Ｗ）になった変倍光学系（実施例８）の歪曲収差図である。
【図３３Ａ】中間焦点距離状態（Ｍ）になった変倍光学系（実施例８）の球面収差図である。
【図３３Ｂ】中間焦点距離状態（Ｍ）になった変倍光学系（実施例８）の非点収差図である。
【図３３Ｃ】中間焦点距離状態（Ｍ）になった変倍光学系（実施例８）の歪曲収差図である。
【図３４Ａ】望遠端状態（Ｔ）になった変倍光学系（実施例８）の球面収差図である。
【図３４Ｂ】望遠端状態（Ｔ）になった変倍光学系（実施例８）の非点収差図である。
【図３４Ｃ】望遠端状態（Ｔ）になった変倍光学系（実施例８）の歪曲収差図である。
【図３５】実施例９の変倍光学系を備えるレンズユニットのレンズ構成図である。
【図３６Ａ】広角端状態（Ｗ）になった変倍光学系（実施例９）の球面収差図である。
【図３６Ｂ】広角端状態（Ｗ）になった変倍光学系（実施例９）の非点収差図である。
【図３６Ｃ】広角端状態（Ｗ）になった変倍光学系（実施例９）の歪曲収差図である。
【図３７Ａ】中間焦点距離状態（Ｍ）になった変倍光学系（実施例９）の球面収差図である。
【図３７Ｂ】中間焦点距離状態（Ｍ）になった変倍光学系（実施例９）の非点収差図である。
【図３７Ｃ】中間焦点距離状態（Ｍ）になった変倍光学系（実施例９）の歪曲収差図である。
【図３８Ａ】望遠端状態（Ｔ）になった変倍光学系（実施例９）の球面収差図である。
【図３８Ｂ】望遠端状態（Ｔ）になった変倍光学系（実施例９）の非点収差図である。
【図３８Ｃ】望遠端状態（Ｔ）になった変倍光学系（実施例９）の歪曲収差図である。
【図３９】実施例１０の変倍光学系を備えるレンズユニットのレンズ構成図である。
【図４０Ａ】広角端状態（Ｗ）になった変倍光学系（実施例１０）の球面収差図である。
【図４０Ｂ】広角端状態（Ｗ）になった変倍光学系（実施例１０）の非点収差図である。
【図４０Ｃ】広角端状態（Ｗ）になった変倍光学系（実施例１０）の歪曲収差図である。
【図４１Ａ】中間焦点距離状態（Ｍ）になった変倍光学系（実施例１０）の球面収差図である。
【図４１Ｂ】中間焦点距離状態（Ｍ）になった変倍光学系（実施例１０）の非点収差図である。
【図４１Ｃ】中間焦点距離状態（Ｍ）になった変倍光学系（実施例１０）の歪曲収差図である。
【図４２Ａ】望遠端状態（Ｔ）になった変倍光学系（実施例１０）の球面収差図である。
【図４２Ｂ】望遠端状態（Ｔ）になった変倍光学系（実施例１０）の非点収差図である。
【図４２Ｃ】望遠端状態（Ｔ）になった変倍光学系（実施例１０）の歪曲収差図である。
【図４３】実施例１１の変倍光学系を備えるレンズユニットのレンズ構成図である。
【図４４Ａ】広角端状態（Ｗ）になった変倍光学系（実施例１１）の球面収差図である。
【図４４Ｂ】広角端状態（Ｗ）になった変倍光学系（実施例１１）の非点収差図である。
【図４４Ｃ】広角端状態（Ｗ）になった変倍光学系（実施例１１）の歪曲収差図である。
【図４５Ａ】中間焦点距離状態（Ｍ）になった変倍光学系（実施例１１）の球面収差図である。
【図４５Ｂ】中間焦点距離状態（Ｍ）になった変倍光学系（実施例１１）の非点収差図である。
【図４５Ｃ】中間焦点距離状態（Ｍ）になった変倍光学系（実施例１１）の歪曲収差図である。
【図４６Ａ】望遠端状態（Ｔ）になった変倍光学系（実施例１１）の球面収差図である。
【図４６Ｂ】望遠端状態（Ｔ）になった変倍光学系（実施例１１）の非点収差図である。
【図４６Ｃ】望遠端状態（Ｔ）になった変倍光学系（実施例１１）の歪曲収差図である。
【図４７】実施例１〜１１の変倍光学系に対応する条件式（Ａ）〜条件式（Ｅ）の結果を示す説明図である。
【図４８】実施例１〜１１の変倍光学系に対応する条件式（Ａ）、（Ｃ）、（Ｄ）、または（Ｅ）でのＴＬ３、Ｙ’、ＴＬ３M、ＲＳ、β３ｔ、β３ｗ、ｆｔ、ｆｗの値を示す説明図である。
【図４９】実施例１〜１１の変倍光学系に対応する条件式（Ｂ）でのＸ、Ｘ0 、Ｃ0 、Ｎ、Ｎ’、ｆ３の値を示す説明図である。
【符号の説明】
【０２４１】
１    レンズユニット
１１    変倍光学系
２９    デジタルカメラ（撮像装置）
ＧＲｉ  レンズ群
ＧＲ１  第１レンズ群
ＧＲ２  第２レンズ群
ＧＲ３  第３レンズ群
ＧＲ４  第４レンズ群
ＳＵ    撮像素子ユニット
Ｌｉ    レンズ
ｓｉ    面
ＳＲ    撮像素子
ＰＲ    光学プリズム
ＰＲ’  光学プリズム
ＳＴ    光学絞り
ＣＧ    カバーガラス
ＡＸ    光軸
ＴＬ３  第３レンズ群の軸上厚み
Ｙ’    撮像素子の像面における光軸からの高さ（最大像高）
ＴＬ３M 第３レンズ群に含まれる各レンズ間の空気間隔において最大の空気間隔
ＲＳ    光学絞りの最大絞り径
β３ｔ  望遠端での第３レンズ群の横倍率
β３ｗ  広角端での第３レンズ群の横倍率
ｆｔ    望遠端での変倍光学系全体の焦点距離
ｆｗ    広角端での変倍光学系全体の焦点距離
【図１】
2006350049.tif 000025
【図２Ａ】
2006350049.tif 000026
【図２Ｂ】
2006350049.tif 000027
【図２Ｃ】
2006350049.tif 000028
【図３Ａ】
2006350049.tif 000029
【図３Ｂ】
2006350049.tif 000030
【図３Ｃ】
2006350049.tif 000031
【図４Ａ】
2006350049.tif 000032
【図４Ｂ】
2006350049.tif 000033
【図４Ｃ】
2006350049.tif 000034
【図５】
2006350049.tif 000035
【図６】
2006350049.tif 000036
【図７】
2006350049.tif 000037
【図８Ａ】
2006350049.tif 000038
【図８Ｂ】
2006350049.tif 000039
【図８Ｃ】
2006350049.tif 000040
【図９Ａ】
2006350049.tif 000041
【図９Ｂ】
2006350049.tif 000042
【図９Ｃ】
2006350049.tif 000043
【図１０Ａ】
2006350049.tif 000044
【図１０Ｂ】
2006350049.tif 000045
【図１０Ｃ】
2006350049.tif 000046
【図１１】
2006350049.tif 000047
【図１２Ａ】
2006350049.tif 000048
【図１２Ｂ】
2006350049.tif 000049
【図１２Ｃ】
2006350049.tif 000050
【図１３Ａ】
2006350049.tif 000051
【図１３Ｂ】
2006350049.tif 000052
【図１３Ｃ】
2006350049.tif 000053
【図１４Ａ】
2006350049.tif 000054
【図１４Ｂ】
2006350049.tif 000055
【図１４Ｃ】
2006350049.tif 000056
【図１５】
2006350049.tif 000057
【図１６Ａ】
2006350049.tif 000058
【図１６Ｂ】
2006350049.tif 000059
【図１６Ｃ】
2006350049.tif 000060
【図１７Ａ】
2006350049.tif 000061
【図１７Ｂ】
2006350049.tif 000062
【図１７Ｃ】
2006350049.tif 000063
【図１８Ａ】
2006350049.tif 000064
【図１８Ｂ】
2006350049.tif 000065
【図１８Ｃ】
2006350049.tif 000066
【図１９】
2006350049.tif 000067
【図２０Ａ】
2006350049.tif 000068
【図２０Ｂ】
2006350049.tif 000069
【図２０Ｃ】
2006350049.tif 000070
【図２１Ａ】
2006350049.tif 000071
【図２１Ｂ】
2006350049.tif 000072
【図２１Ｃ】
2006350049.tif 000073
【図２２Ａ】
2006350049.tif 000074
【図２２Ｂ】
2006350049.tif 000075
【図２２Ｃ】
2006350049.tif 000076
【図２３】
2006350049.tif 000077
【図２４Ａ】
2006350049.tif 000078
【図２４Ｂ】
2006350049.tif 000079
【図２４Ｃ】
2006350049.tif 000080
【図２５Ａ】
2006350049.tif 000081
【図２５Ｂ】
2006350049.tif 000082
【図２５Ｃ】
2006350049.tif 000083
【図２６Ａ】
2006350049.tif 000084
【図２６Ｂ】
2006350049.tif 000085
【図２６Ｃ】
2006350049.tif 000086
【図２７】
2006350049.tif 000087
【図２８Ａ】
2006350049.tif 000088
【図２８Ｂ】
2006350049.tif 000089
【図２８Ｃ】
2006350049.tif 000090
【図２９Ａ】
2006350049.tif 000091
【図２９Ｂ】
2006350049.tif 000092
【図２９Ｃ】
2006350049.tif 000093
【図３０Ａ】
2006350049.tif 000094
【図３０Ｂ】
2006350049.tif 000095
【図３０Ｃ】
2006350049.tif 000096
【図３１】
2006350049.tif 000097
【図３２Ａ】
2006350049.tif 000098
【図３２Ｂ】
2006350049.tif 000099
【図３２Ｃ】
2006350049.tif 000100
【図３３Ａ】
2006350049.tif 000101
【図３３Ｂ】
2006350049.tif 000102
【図３３Ｃ】
2006350049.tif 000103
【図３４Ａ】
2006350049.tif 000104
【図３４Ｂ】
2006350049.tif 000105
【図３４Ｃ】
2006350049.tif 000106
【図３５】
2006350049.tif 000107
【図３６Ａ】
2006350049.tif 000108
【図３６Ｂ】
2006350049.tif 000109
【図３６Ｃ】
2006350049.tif 000110
【図３７Ａ】
2006350049.tif 000111
【図３７Ｂ】
2006350049.tif 000112
【図３７Ｃ】
2006350049.tif 000113
【図３８Ａ】
2006350049.tif 000114
【図３８Ｂ】
2006350049.tif 000115
【図３８Ｃ】
2006350049.tif 000116
【図３９】
2006350049.tif 000117
【図４０Ａ】
2006350049.tif 000118
【図４０Ｂ】
2006350049.tif 000119
【図４０Ｃ】
2006350049.tif 000120
【図４１Ａ】
2006350049.tif 000121
【図４１Ｂ】
2006350049.tif 000122
【図４１Ｃ】
2006350049.tif 000123
【図４２Ａ】
2006350049.tif 000124
【図４２Ｂ】
2006350049.tif 000125
【図４２Ｃ】
2006350049.tif 000126
【図４３】
2006350049.tif 000127
【図４４Ａ】
2006350049.tif 000128
【図４４Ｂ】
2006350049.tif 000129
【図４４Ｃ】
2006350049.tif 000130
【図４５Ａ】
2006350049.tif 000131
【図４５Ｂ】
2006350049.tif 000132
【図４５Ｃ】
2006350049.tif 000133
【図４６Ａ】
2006350049.tif 000134
【図４６Ｂ】
2006350049.tif 000135
【図４６Ｃ】
2006350049.tif 000136
【図４７】
2006350049.tif 000137
【図４８】
2006350049.tif 000138
【図４９】
2006350049.tif 000139